(57)【要約】【課題】利用者毎に所望のスタイルを選択する。【解決手段】撮影制御部は、利用者の全身を被写体とした撮影を行い、認識部は、撮影により得られた撮影画像のうちの所定枚数の撮影画像において人物を認識し、表示制御部は、撮影画像が表示される第１の領域と、認識部による認識結果に基づいて利用者の全身が写る撮影画像に施される画像処理の度合いを選択するためのボタンが表示される第２の領域とを有する画面を表示する。また、表示制御部は、第２の領域のボタンが操作される毎に、第１の領域に表示される撮影画像を、異なる度合いの画像処理が施された撮影画像に切り替える。本技術は、例えば、写真シール作成装置に適用することができる。【選択図】図１７
2018064220.tif 000002
【特許請求の範囲】
【請求項１】
利用者の全身を被写体とした撮影を行う撮影制御部と、
撮影により得られた撮影画像のうちの所定枚数の撮影画像において人物を認識する認識部と、
前記撮影画像が表示される第１の領域と、前記認識部による認識結果に基づいて前記利用者の全身が写る前記撮影画像に施される画像処理の度合いを選択するためのボタンが表示される第２の領域とを有する画面を表示する表示制御部と
を備え、
前記表示制御部は、前記第２の領域の前記ボタンが操作される毎に、前記第１の領域に表示される前記撮影画像を、異なる度合いの前記画像処理が施された前記撮影画像に切り替える
写真作成ゲーム機。
【請求項２】
前記撮影制御部は、複数回の撮影のうちの少なくとも１回の撮影を、人物を認識するための認識撮影として行い、
前記認識部は、前記認識撮影により得られた認識用画像において人物を認識し、
前記表示制御部は、前記第１の領域に、前記認識用画像を表示し、前記第２の領域に、前記認識撮影以外の通常撮影により得られた前記撮影画像に写る前記利用者の全身またはその一部に施される前記画像処理の度合いを選択するための前記ボタンを表示する
請求項１に記載の写真作成ゲーム機。
【請求項３】
前記撮影画像に写る前記利用者の全身またはその一部に、前記第２の領域において最終的に選択された前記ボタンに対応した度合いの前記画像処理を施す画像処理部をさらに備える
請求項２に記載の写真作成ゲーム機。
【請求項４】
前記表示制御部は、前記第１の領域に、前記利用者の全身が写る前記認識用画像を表示し、前記第２の領域に、前記撮影画像において前記画像処理が施される前記利用者の部分に対応する画像を含む前記ボタンを表示する
請求項３に記載の写真作成ゲーム機。
【請求項５】
前記表示制御部は、前記第２の領域の前記ボタンが操作される毎に、前記第１の領域に表示される前記認識用画像を、前記利用者の部分に異なる度合いの前記画像処理が施された前記認識用画像に切り替える
請求項４に記載の写真作成ゲーム機。
【請求項６】
前記表示制御部は、前記利用者毎の前記第１の領域および前記第２の領域を有する前記画面を表示する
請求項５に記載の写真作成ゲーム機。
【請求項７】
前記認識部による認識に成功した人物の全身画像を、前記通常撮影により得られた前記撮影画像に写る人物と照合するための画像として登録する登録部をさらに備える
請求項６に記載の写真作成ゲーム機。
【請求項８】
前記登録部により登録された前記全身画像と、前記撮影画像に写る人物とを照合することで、前記撮影画像における前記利用者を認証する認証部をさらに備え、
前記画像処理部は、前記撮影画像において、前記認証部による認証に成功した前記利用者毎の全身またはその一部に、前記利用者毎の前記第２の領域において最終的に操作された前記ボタンに対応した度合いの前記画像処理を施す
請求項７に記載の写真作成ゲーム機。
【請求項９】
前記表示制御部は、前記画像処理の種類毎に１つの前記画面を表示する
請求項１乃至８のいずれかに記載の写真作成ゲーム機。
【請求項１０】
前記画像処理が施された前記撮影画像を、所定のシール紙へ印刷して出力する印刷処理部をさらに備える
請求項１乃至９のいずれかに記載の写真作成ゲーム機。
【請求項１１】
前記画像処理が施された前記撮影画像を、所定のサーバを介して携帯端末へデータとして送信する通信制御部をさらに備える
請求項１乃至１０のいずれかに記載の写真作成ゲーム機。
【請求項１２】
利用者の全身を被写体とした撮影を行い、
撮影により得られた撮影画像のうちの所定枚数の撮影画像において人物を認識し、
前記撮影画像が表示される第１の領域と、前記認識部による認識結果に基づいて前記利用者の全身が写る前記撮影画像に施される画像処理の度合いを選択するためのボタンが表示される第２の領域とを有する画面を表示し、
前記第２の領域の前記ボタンが操作される毎に、前記第１の領域に表示される前記撮影画像を、異なる度合いの前記画像処理が施された前記撮影画像に切り替える
ステップを含む表示方法。
【発明の詳細な説明】
【技術分野】
【０００１】
本技術は、写真作成ゲーム機および表示方法に関し、特に、所望のスタイルを選択することができるようにする写真作成ゲーム機および表示方法に関する。
【背景技術】
【０００２】
従来、アミューズメント施設等に設置される写真シール機が知られている。写真シール機は、利用者を撮影し、利用者の操作に応じて撮影画像に対して編集を施す。写真シール機は、編集が施された撮影画像をシール紙に印刷する。
【０００３】
近年、写真シール機においては、撮影画像に対して適切な画像処理を施すために、撮影画像に対する顔認識が行われている。
【０００４】
例えば、特許文献１には、顔を認識するための認識撮影により得られた画像から顔を検出・登録し、登録された顔と、その後の撮影により得られた撮影画像における顔とを照合することが開示されている。これにより、撮影画像に写る利用者毎の顔に、目の大きさや形状を変更する画像処理を施すことが可能となる。
【先行技術文献】
【特許文献】
【０００５】
【特許文献１】特許第５４１８７０８号公報
【発明の概要】
【発明が解決しようとする課題】
【０００６】
しかしながら、特許文献１の構成では、撮影画像に写る利用者の全身に画像処理を施すことはできなかった。
【０００７】
これに対して、近年、利用者の全身が写る全身画像について、複数種類のスタイルのうちのいずれかを選択させるようにした写真シール機がある。この写真シール機においては、選択されたスタイルに応じて、全身画像に写る利用者の全身に画像処理が施される。
【０００８】
しかしながら、利用者毎にスタイルを選択することはできず、複数の利用者の全身に一律に同じ画像処理が施されてしまっていた。
【０００９】
本技術は、このような状況に鑑みてなされたものであり、利用者毎に所望のスタイルを選択することができるようにするものである。
【課題を解決するための手段】
【００１０】
本技術の写真作成ゲーム機は、利用者の全身を被写体とした撮影を行う撮影制御部と、撮影により得られた撮影画像のうちの所定枚数の撮影画像において人物を認識する認識部と、前記撮影画像が表示される第１の領域と、前記認識部による認識結果に基づいて前記利用者の全身が写る前記撮影画像に施される画像処理の度合いを選択するためのボタンが表示される第２の領域とを有する画面を表示する表示制御部とを備え、前記表示制御部は、前記第２の領域の前記ボタンが操作される毎に、前記第１の領域に表示される前記撮影画像を、異なる度合いの前記画像処理が施された前記撮影画像に切り替える。
【００１１】
本技術の表示方法は、利用者の全身を被写体とした撮影を行い、撮影により得られた撮影画像のうちの所定枚数の撮影画像において人物を認識し、前記撮影画像が表示される第１の領域と、前記認識部による認識結果に基づいて前記利用者の全身が写る前記撮影画像に施される画像処理の度合いを選択するためのボタンが表示される第２の領域とを有する画面を表示し、前記第２の領域の前記ボタンが操作される毎に、前記第１の領域に表示される前記撮影画像を、異なる度合いの前記画像処理が施された前記撮影画像に切り替えるステップを含む。
【００１２】
本技術においては、利用者の全身を被写体とした撮影が行われ、撮影により得られた撮影画像のうちの所定枚数の撮影画像において人物が認識され、前記撮影画像が表示される第１の領域と、前記認識部による認識結果に基づいて前記利用者の全身が写る前記撮影画像に施される画像処理の度合いを選択するためのボタンが表示される第２の領域とを有する画面が表示され、前記第２の領域の前記ボタンが操作される毎に、前記第１の領域に表示される前記撮影画像が、異なる度合いの前記画像処理が施された前記撮影画像に切り替わる。
【発明の効果】
【００１３】
本技術によれば、利用者毎に所望のスタイルを選択することが可能となる。
【図面の簡単な説明】
【００１４】
【図１】本技術の写真シール作成装置の外観の構成例を示す斜視図である。
【図２】利用者の移動について説明する図である。
【図３】撮影部の構成例を示す図である。
【図４】背景部の構成例を示す図である。
【図５】編集ユニットの構成例を示す図である。
【図６】編集ユニットの右側面の構成例を示す図である。
【図７】写真シール作成装置の内部の構成例を示すブロック図である。
【図８】制御部の機能構成例を示すブロック図である。
【図９】撮影処理部の機能構成例を示すブロック図である。
【図１０】編集処理部の機能構成例を示すブロック図である。
【図１１】写真シール作成ゲーム処理について説明するフローチャートである。
【図１２】撮影処理について説明するフローチャートである。
【図１３】認識撮影時のライブビュー表示画面の例を示す図である。
【図１４】認識撮影時のライブビュー表示画面の他の例を示す図である。
【図１５】認識撮影時のライブビュー表示画面のさらに他の例を示す図である。
【図１６】編集処理について説明するフローチャートである。
【図１７】レタッチ画面の一例を示す図である。
【図１８】レタッチ画面の他の例を示す図である。
【図１９】レタッチ画面のさらに他の例を示す図である。
【図２０】立ち位置の入れ替わりについて説明する図である。
【図２１】認証処理の一例について説明するフローチャートである。
【図２２】顔認証信頼度について説明する図である。
【図２３】顔認証について説明する図である。
【図２４】認証処理の他の例について説明するフローチャートである。
【図２５】全身画像に施される画像処理の例について説明する図である。
【図２６】全身画像に施される画像処理の他の例について説明する図である。
【図２７】全身画像に施される画像処理のさらに他の例について説明する図である。
【図２８】全身撮影の種類について説明する図である。
【図２９】レタッチ画面のさらに他の例を示す図である。
【図３０】撮影処理の流れについて説明するフローチャートである。
【図３１】アップ画像用の認識撮影時のライブビュー表示画面の例を示す図である。
【図３２】レタッチ画面のさらに他の例を示す図である。
【図３３】レタッチ画面のさらに他の例を示す図である。
【図３４】レタッチ画面のさらに他の例を示す図である。
【図３５】レタッチ画面のさらに他の例を示す図である。
【図３６】レタッチ画面のさらに他の例を示す図である。
【図３７】レタッチ画面のさらに他の例を示す図である。
【図３８】編集画面の例を示す図である。
【図３９】編集画面の他の例を示す図である。
【図４０】編集画面のさらに他の例を示す図である。
【図４１】認識撮影時のライブビュー表示画面のさらに他の例を示す図である。
【図４２】出力されるシール紙の例を示す図である。
【発明を実施するための形態】
【００１５】
以下、本技術を適用した具体的な実施の形態について、図面を参照しながら詳細に説明する。
【００１６】
＜写真シール作成装置の外観構成＞
図１は、写真シール作成装置１の外観の構成例を示す斜視図である。
【００１７】
写真シール作成装置１は、撮影画像や編集済み画像を提供するゲーム機である。写真シール作成装置１は、画像をシール紙に印刷したり、画像を利用者の携帯端末上で閲覧可能にするためにその画像をサーバに送信することで、利用者に画像を提供する。写真シール作成装置１は、アミューズメント施設や店舗に設置される。写真シール作成装置１の利用者は、主に女子高生や女子大生などの若い女性が中心とされる。写真シール作成装置１において、１組あたり主に２人や３人などの複数人の利用者がゲームを楽しむことができる。もちろん、１人の利用者がゲームを楽しむこともできる。
【００１８】
写真シール作成装置１において、利用者は、自身が被写体となって撮影作業を行う。利用者は、編集作業により、撮影によって得られた撮影画像の中から選択した画像に、手書きの文字やスタンプ画像などの合成用画像を合成させる。これにより、撮影画像が彩り豊かな画像に編集される。利用者は、編集済みの画像である編集画像が印刷されたシール紙を受け取って一連のゲームを終了させる。
【００１９】
写真シール作成装置１は、撮影ユニット１１と編集ユニット１２が接した状態で設置されることによって構成される。撮影ユニット１１と編集ユニット１２は電気的に接続される。撮影ユニット１１は、人が中に入ることができる程度の大きさを有する箱形状の筐体を有する。
【００２０】
撮影ユニット１１は、撮影部２１と背景部２２から構成される。撮影部２１と背景部２２は離れて設置される。撮影部２１と背景部２２の間に設けられる空間が、利用者が撮影作業を行う撮影空間となる。
【００２１】
撮影部２１は、利用者を被写体として撮影する装置である。撮影空間に臨む撮影部２１の正面にはカメラなどが設けられる。撮影部２１の、編集ユニット１２と接する面には正面パネル４１が設けられる。撮影空間にいる利用者から見て右側の面を右側面、左側の面を左側面とすると、撮影部２１の右側面が側面パネル４２Ａにより構成され、左側面が側面パネル４２Ｂ（図２）により構成される。
【００２２】
背景部２２は、それぞれ板状の部材である背面パネル５１、側面パネル５２Ａ、および側面パネル５２Ｂ（図２）から構成される。背面パネル５１は、正面を向いている利用者の背面側に位置する。側面パネル５２Ａは、背面パネル５１の右端に取り付けられ、側面パネル５２Ｂは、背面パネル５１の左端に取り付けられる。
【００２３】
側面パネル４２Ａと側面パネル５２Ａは、所定の間隔をあけてほぼ同一平面に設けられる。側面パネル４２Ａと側面パネル５２Ａの上部は、板状の部材である連結部３１Ａによって連結される。また、側面パネル４２Ａと側面パネル５２Ａの下部は、床面に設けられた例えば金属製の部材である連結部３４によって連結される。
【００２４】
側面パネル４２Ｂと側面パネル５２Ｂも同様にほぼ同一平面に設けられる。側面パネル４２Ｂと側面パネル５２Ｂの上部は連結部３１Ｂによって連結される。側面パネル４２Ａと側面パネル５２Ａの下部は、床面に設けた金属製の部材（図示せず）によって連結される。
【００２５】
側面パネル４２Ａ、連結部３１Ａ、および側面パネル５２Ａに囲まれることによって形成される開口が、撮影空間の出入り口となる。また、側面パネル４２Ｂ、連結部３１Ｂ、および側面パネル５２Ｂに囲まれることによって形成される開口もまた、撮影空間の出入り口となる。
【００２６】
撮影空間の上方には、撮影部２１の正面パネル４１、連結部３１Ａ、連結部３１Ｂ、および背景部２２の背面パネル５１に囲まれる開口が形成される。その開口には、その一部を覆うように天井ストロボユニット３２が設けられる。天井ストロボユニット３２の一端は連結部３１Ａに固定され、他端は連結部３１Ｂに固定される。
【００２７】
天井ストロボユニット３２は、撮影空間内に向けて光を照射するストロボ発光管を内蔵する。天井ストロボユニット３２の内部には、ストロボ発光管の他に蛍光灯が設けられている。これにより、天井ストロボユニット３２は、撮影空間の照明としても機能する。
【００２８】
編集ユニット１２は、撮影画像に編集を施すための装置である。編集ユニット１２は、一方の側面が撮影部２１の正面パネル４１に接するようにして、撮影ユニット１１に連結している。
【００２９】
図１に示される編集ユニット１２の構成を正面側の構成とすると、編集ユニット１２の正面側と背面側のそれぞれに、編集作業で用いられる構成が設けられる。この構成により、２組の利用者が同時に編集を行うことができる。
【００３０】
編集ユニット１２の正面側は、面１２Ａと、面１２Ａの上方に形成された斜面１２Ｂから構成される。面１２Ａは、床面に対して垂直であり、撮影部２１の側面パネル４２Ａとほぼ平行な面である。斜面１２Ｂには、編集作業に用いられる構成として、タブレット内蔵モニタやタッチペンが設けられる。
【００３１】
斜面１２Ｂの上方右側には、照明装置７３の一端を支持する柱状の支持部７１Ａ（図５）が設けられる。斜面１２Ｂの左側には、照明装置７３の他端を支持する柱状の支持部７１Ｂが設けられる。支持部７１Ａの右側には板状のパネル７２が設けられる。パネル７２の上面にはカーテンレール７５を支持する支持部７４が設けられる。
【００３２】
編集ユニット１２の上方にはカーテンレール７５が取り付けられる。カーテンレール７５は、３本のレール７５Ａ乃至７５Ｃが組み合わされて構成される。３本のレール７５Ａ乃至７５Ｃは、上から見たときの形状がコの字状となるように組み合わされる。平行に設けられるレール７５Ａとレール７５Ｂの一端は、連結部３１Ａと連結部３１Ｂにそれぞれ固定され、レール７５Ａとレール７５Ｂの他端は、レール７５Ｃの両端にそれぞれ接合される。
【００３３】
カーテンレール７５には、編集ユニット１２の正面前方の空間と背面前方の空間が外から見えないようにカーテンが取り付けられる。そのカーテンにより囲まれる編集ユニット１２の正面前方の空間と背面後方の空間が、利用者が編集作業を行う編集空間となる。
【００３４】
また、後述するが、編集ユニット１２の右側面には、印刷済みのシール紙が排出される排出口が設けられる。編集ユニット１２の右側面前方の空間が、印刷が終了するのを利用者が待つ印刷待ち空間となる。
【００３５】
＜利用者の移動について＞
ここで、写真シール作成ゲームの流れと、それに伴う利用者の移動について説明する。
【００３６】
図２は、写真シール作成装置１を上から見た平面図である。
【００３７】
まず、利用者は、白抜き矢印＃１で示されるように出入り口Ｇ１から、または白抜き矢印＃２で示されるように出入り口Ｇ２から、撮影部２１と背景部２２の間に形成された撮影空間Ａ１に入る。出入り口Ｇ１は側面パネル４２Ａと側面パネル５２Ａの間の開口であり、出入り口Ｇ２は側面パネル４２Ｂと側面パネル５２Ｂの間の開口である。利用者は、撮影空間Ａ１において、撮影部２１に設けられたカメラやタッチパネルモニタなどを利用して撮影作業を行う。
【００３８】
撮影作業を終えた利用者は、白抜き矢印＃３で示されるように出入り口Ｇ１から撮影空間Ａ１を出て編集空間Ａ２−１に移動するか、白抜き矢印＃４で示されるように出入り口Ｇ２から撮影空間Ａ１を出て編集空間Ａ２−２に移動する。
【００３９】
編集空間Ａ２−１は、編集ユニット１２の正面側の編集空間である。一方、編集空間Ａ２−２は、編集ユニット１２の背面側の編集空間である。利用者が編集空間Ａ２−１と編集空間Ａ２−２のいずれの空間に移動するのかは、撮影部２１のタッチパネルモニタの画面表示などによって案内される。例えば２つの編集空間のうちの空いている方が移動先として案内される。
【００４０】
編集空間Ａ２−１または編集空間Ａ２−２に移動した利用者は、編集作業を開始する。編集空間Ａ２−１の利用者と、編集空間Ａ２−２の利用者は同時に編集作業を行うことができる。
【００４１】
編集作業が終了した後、編集画像の印刷が開始される。印刷が開始されると、編集空間Ａ２−１での編集作業を終えた利用者は、白抜き矢印＃５で示されるように編集空間Ａ２−１から印刷待ち空間Ａ３に移動する。また、編集空間Ａ２−２での編集作業を終えた利用者は、白抜き矢印＃６で示されるように編集空間Ａ２−２から印刷待ち空間Ａ３に移動する。印刷待ち空間Ａ３に移動した利用者は、印刷が終了するのを待つ間、例えば、サーバに送信する画像の選択や、利用者が持つ携帯端末のメールアドレスの入力を事後選択作業として行う。
【００４２】
印刷が終了すると、利用者は、編集ユニット１２の右側面に設けられた排出口から排出されたシール紙を受け取り、一連の写真シール作成ゲームを終える。
【００４３】
次に、各部の構成について説明する。
【００４４】
＜撮影部の構成＞
図３は、撮影部２１の正面の構成例を示す図である。撮影部２１は、正面パネル４１、側面パネル４２Ａ、および側面パネル４２Ｂに囲まれるようにして構成される。
【００４５】
正面パネル４１のほぼ中央には、カメラユニット８１が設けられる。カメラユニット８１は、カメラ９１、正面ストロボユニット９２、およびタッチパネルモニタ９３から構成される。
【００４６】
カメラ９１は、例えば一眼レフカメラであり、レンズが露出するようにカメラユニット８１の内部に取り付けられる。カメラ９１はCCD(Charge Coupled Device)イメージセンサやCMOS（Complementary Metal Oxide Semiconductor）イメージセンサなどの撮像素子を有し、撮影空間Ａ１にいる利用者を撮影する。カメラ９１により取り込まれた動画像（以下、ライブビュー画像ともいう）は、タッチパネルモニタ９３にリアルタイムで表示される。撮影が指示されたときなどの所定のタイミングでカメラ９１により取り込まれた静止画像は、撮影画像として保存される。
【００４７】
正面ストロボユニット９２は、カメラ９１の上方に設けられる。正面ストロボユニット９２は、他のストロボユニットと同様にカメラ９１による撮影に合わせて発光する。正面ストロボユニット９２は、被写体としての利用者の顔付近に、その正面から光を照射する。
【００４８】
タッチパネルモニタ９３は、カメラ９１の下方に設けられる。タッチパネルモニタ９３は、LCD(Liquid Crystal Display)などのモニタと、それに積層されたタッチパネルにより構成される。タッチパネルモニタ９３は、カメラ９１により取り込まれた動画像を表示するライブビューモニタとしての機能と、各種のGUIパーツを表示することで、利用者の選択操作を受け付ける機能とを備える。タッチパネルモニタ９３には、カメラ９１により取り込まれた動画像（ライブビュー画像）や静止画像（撮影画像）が表示される。
【００４９】
正面パネル４１において、カメラユニット８１の上方には上ストロボユニット８２が設置される。また、カメラユニット８１の左方には左ストロボユニット８３が設置され、カメラユニット８１の右方には右ストロボユニット８４が設置される。さらに、カメラユニット８１の下方には箱状の足元ストロボユニット８５が設置される。
【００５０】
上ストロボユニット８２は、前方上側から利用者に光を照射する。左ストロボユニット８３は、前方左側から利用者に光を照射する。右ストロボユニット８４は、前方右側から利用者に光を照射する。足元ストロボユニット８５は、利用者の足元に光を照射する。
【００５１】
上ストロボユニット８２、左ストロボユニット８３、右ストロボユニット８４、および足元ストロボユニット８５の内部には蛍光灯が設けられる。これらの蛍光灯は、天井ストロボユニット３２内部の蛍光灯とあわせて、撮影空間Ａ１内の照明として用いられる。各蛍光灯の発光量が調整されることによって、または、発光する蛍光灯の数が調整されることによって、撮影空間Ａ１内の明るさが適宜調整される。
【００５２】
足元ストロボユニット８５の右側および左側には、足元ストロボユニット８５より高さの低い箱状部８６Ａ，８６Ｂが設けられる。箱状部８６Ａ，８６Ｂそれぞれの上面は、利用者が手荷物などを置くための荷物置き場となる。
【００５３】
さらに、箱状部８６Ａには、利用者が硬貨を投入する硬貨投入口８７が設けられる。
【００５４】
また、図示はしないが、正面パネル４１の例えば天井付近にはスピーカが設けられる。そのスピーカは、撮影作業に関する案内音声、BGM、効果音などを出力する。
【００５５】
＜背景部の構成＞
図４は、背景部２２の撮影空間Ａ１側の構成例を示す図である。
【００５６】
背面パネル５１の上方中央には背面上ストロボユニット１２１が設けられる。また、背面パネル５１の上方右側（図中、左側）には背面右ストロボユニット１２２が設けられ、背面パネル５１の上方左側（図中、右側）には背面左ストロボユニット１２３が設けられる。
【００５７】
背面上ストロボユニット１２１は、後方上側から利用者に光を照射する。背面右ストロボユニット１２２は、後方右側から利用者に光を照射する。背面左ストロボユニット１２３は、後方左側から利用者に光を照射する。
【００５８】
背面パネル５１の撮影空間Ａ１側（図中、手前側）の面には、背面カーテン１２４が貼り付けられる。背面カーテン１２４の色は、例えば緑色とされる。また、図示はしないが、側面パネル５２Ａ，５２Ｂそれぞれの撮影空間Ａ１側にも、背面カーテン１２４と同様の側面カーテンが貼り付けられる。側面カーテンの色は、背面カーテン１２４の色と同一とする。
【００５９】
これらのカーテンはクロマキー用のカーテンとして用いられる。これにより、撮影画像に対してクロマキー処理を施し、利用者が所望する背景画像を、撮影画像の背景部分に合成することができる。なお、これらのカーテンの色は、クロマキー処理を行うことができる色であればよく、青色など、その他の色であってもよい。
【００６０】
＜編集ユニットの構成＞
図５は、編集ユニット１２の正面側（編集空間Ａ２−１側）の構成例を示す図である。
【００６１】
斜面１２Ｂのほぼ中央には、タブレット内蔵モニタ１３１が設けられる。タブレット内蔵モニタ１３１の左側にはタッチペン１３２Ａが設けられる。タブレット内蔵モニタ１３１の右側にはタッチペン１３２Ｂが設けられる。
【００６２】
タブレット内蔵モニタ１３１は、タブレットがディスプレイを露出するように設けられることによって構成される。タブレットは、タッチペン１３２Ａまたはタッチペン１３２Ｂを用いた操作入力を可能とする。タブレット内蔵モニタ１３１には、例えば、編集作業に用いられる編集画面が表示される。２人の利用者が同時に編集作業を行う場合、タッチペン１３２Ａはタブレット内蔵モニタ１３１に向かって左側にいる利用者により用いられ、タッチペン１３２Ｂはタブレット内蔵モニタ１３１に向かって右側にいる利用者により用いられる。
【００６３】
図６は、編集ユニット１２の右側面の構成例を示す図である。
【００６４】
編集ユニット１２の右側面の一部を構成するパネル７２には、タブレット内蔵モニタ１４１が設けられる。タブレット内蔵モニタ１４１には、事後選択作業に用いられる画面が表示される。
【００６５】
編集ユニット１２の右側面の下部には、シール紙排出口１４２が設けられる。編集ユニット１２の内部にはプリンタが設けられている。そのプリンタにより、編集空間Ａ２−１の利用者が写る画像、または、編集空間Ａ２−２の利用者が写る画像が所定のレイアウト（以下、シールレイアウトという）でシール紙に印刷され、シール紙排出口１４２から排出される。
【００６６】
タブレット内蔵モニタ１４１の下方には、スピーカ１４３が設けられる。スピーカ１４３は、事後選択作業に関する案内音声、BGM、効果音等などを出力する。
【００６７】
＜写真シール作成装置の内部構成＞
図７は、写真シール作成装置１の内部の構成例を示すブロック図である。図７において、上述した構成と同じ構成には同じ符号を付してある。重複する説明については適宜省略する。
【００６８】
制御部２０１は、CPU(Central Processing Unit)などにより構成される。制御部２０１は、ROM(Read Only Memory)２０６や記憶部２０２に記憶されているプログラムを実行し、写真シール作成装置１の全体の動作を制御する。制御部２０１には、記憶部２０２、通信部２０３、ドライブ２０４、ROM２０６、RAM(Random Access Memory)２０７が接続される。制御部２０１には、撮影部２０８、編集部２０９Ａ，２０９Ｂ、および事後選択部２１０の各構成も接続される。
【００６９】
記憶部２０２は、ハードディスクやフラッシュメモリなどの不揮発性の記憶媒体である。記憶部２０２は、制御部２０１から供給された各種の設定情報などを記憶する。記憶部２０２に記憶されている情報は制御部２０１により適宜読み出される。
【００７０】
通信部２０３は、インターネットなどのネットワークのインタフェースである。通信部２０３は、制御部２０１による制御に従って外部の装置と通信を行う。通信部２０３は、例えば、利用者に選択された撮影画像や編集画像をサーバに送信する。通信部２０３から送信された画像は、サーバにおいて所定の記憶領域が割り当てられて保存され、サーバにアクセスしてきた携帯端末に表示されたり、ダウンロードされたりする。
【００７１】
ドライブ２０４には、光ディスクや半導体メモリなどよりなるリムーバブルメディア２０５が適宜装着される。ドライブ２０４によりリムーバブルメディア２０５から読み出されたプログラムやデータは、制御部２０１に供給され、記憶部２０２に記憶されたり、インストールされたりする。
【００７２】
ROM２０６は、制御部２０１において実行されるプログラムやデータを記憶する。RAM２０７は、制御部２０１が処理するデータやプログラムを一時的に記憶する。
【００７３】
撮影部２０８は、撮影空間Ａ１にいる利用者を対象とした撮影処理を実現する。撮影部２０８は、硬貨処理部２２１、照明装置２２２、カメラ９１、タッチパネルモニタ９３、およびスピーカ２２３から構成される。
【００７４】
硬貨処理部２２１は、硬貨投入口８７への硬貨の投入を検出する。硬貨処理部２２１は、例えば４００円などの所定の金額分の硬貨が投入されたことを検出した場合、ゲームの開始を指示する起動信号を制御部２０１に出力する。
【００７５】
照明装置２２２は、撮影空間Ａ１内の各ストロボユニットであり、制御部２０１から供給される照明制御信号に従って発光する。
【００７６】
カメラ９１は、制御部２０１によるシャッタ制御に従って撮影を行い、撮影によって得られた撮影画像（画像データ）を制御部２０１に出力する。
【００７７】
編集部２０９Ａは、編集空間Ａ２−１にいる利用者を対象とした編集処理を実現する。編集部２０９Ａは、タブレット内蔵モニタ１３１、タッチペン１３２Ａ，１３２Ｂ、およびスピーカ２３１から構成される。編集部２０９Ｂは、編集空間Ａ２−２にいる利用者を対象とした編集処理を実現し、編集部２０９Ａと同一の構成を有する。なお、以下、編集部２０９Ａ，２０９Ｂを特に区別しない場合には、単に、編集部２０９という。
【００７８】
タブレット内蔵モニタ１３１は、制御部２０１による制御に従って編集画面を表示し、編集画面に対する利用者の操作を受け付ける。利用者の操作の内容を表す入力信号は制御部２０１に供給され、編集対象となる撮影画像が編集される。
【００７９】
事後選択部２１０は、印刷待ち空間Ａ３にいる利用者を対象とした事後選択処理を実現する。事後選択処理は、事後選択作業を利用者に行わせるための処理である。事後選択部２１０は、タブレット内蔵モニタ１４１、スピーカ１４３、およびプリンタ２４１から構成される。プリンタ２４１にはシール紙ユニット２４２が装着される。
【００８０】
タブレット内蔵モニタ１４１は、制御部２０１による制御に従って各種の選択画面等を表示し、その画面に対する利用者の操作を受け付ける。利用者の操作の内容を表す入力信号は制御部２０１に供給され、各種の設定が行われる。
【００８１】
プリンタ２４１は、制御部２０１から供給された印刷データに基づいて、シール紙ユニット２４２に収納されているシール紙に編集画像を印刷する。プリンタ２４１は、編集画像を所定のシールレイアウトで印刷したシール紙を、シール紙排出口１４２に排出する。
【００８２】
＜制御部の構成＞
図８は、制御部２０１の機能構成例を示すブロック図である。図８に示す機能部のうちの少なくとも一部は、制御部２０１内のCPUにより所定のプログラムが実行されることによって実現される。
【００８３】
制御部２０１は、撮影処理部３０１、編集処理部３０２、印刷処理部３０３、および事後選択処理部３０４から構成される。
【００８４】
撮影処理部３０１は、撮影部２０８の各部を制御することで、撮影処理を行う。編集処理部３０２は、編集部２０９の各部を制御することで、編集処理を行う。印刷処理部３０３は、事後選択部２１０のプリンタ２４１を制御することで、印刷処理を行う。事後選択処理部３０４は、事後選択部２１０のタブレット内蔵モニタ１４１を制御することで、事後選択処理を行う。
【００８５】
＜撮影処理部の構成例＞
図９は、撮影処理部３０１の機能構成例を示すブロック図である。
【００８６】
撮影処理部３０１は、表示制御部３１１、撮影制御部３１２、認識部３１３、および登録部３１４から構成される。
【００８７】
表示制御部３１１は、タッチパネルモニタ９３の表示を制御する。例えば、表示制御部３１１は、タッチパネルモニタ９３に、カメラ９１に取り込まれたライブビュー画像を表示させたり、撮影結果である撮影画像を表示させたりする。
【００８８】
撮影制御部３１２は、カメラ９１を制御することで、利用者を被写体とした撮影を行い、ライブビュー画像や撮影画像を生成する。また、撮影制御部３１２は、複数回の撮影のうちの少なくとも１回の撮影を、人物を認識するための認識撮影として行う。
【００８９】
認識部３１３は、認識撮影により得られた認識用画像において人物を認識する。
【００９０】
登録部３１４は、認識部３１３による認識に成功した人物の全身画像を、認識撮影以外の撮影（以下、通常撮影ともいう）により得られた撮影画像に写る人物と照合するための画像として、データベースに登録する。データベースは、例えば記憶部２０２に構築される。
【００９１】
＜編集処理部の構成例＞
図１０は、編集処理部３０２の機能構成例を示すブロック図である。
【００９２】
編集処理部３０２は、表示制御部３２１、編集制御部３２２、認証部３２３、画像処理部３２４、および通信制御部３２５から構成される。
【００９３】
表示制御部３２１は、タブレット内蔵モニタ１３１の表示を制御する。例えば、表示制御部３２１は、タブレット内蔵モニタ１３１に、撮影画像に施される画像処理の度合いを選択するための選択画面や、撮影画像を対象とした編集作業のための編集画面を表示させる。
【００９４】
編集制御部３２２は、編集画面に対する利用者の操作に応じて、撮影画像に編集を施す。具体的には、編集制御部３２２は、編集画面において利用者により選択された合成用画像を、撮影画像の所定の位置に合成する。
【００９５】
認証部３２３は、登録部３１４によりデータベースに登録された全身画像を用いて、撮影画像における利用者を認証する。具体的には、認証部３２３は、撮影画像において人物を認識し、認識された人物とデータベースに登録された全身画像とを照合することで、撮影画像における利用者を認証する。
【００９６】
画像処理部３２４は、タブレット内蔵モニタ１３１に表示される、撮影画像に施される画像処理の度合いを選択するための選択画面に対する選択操作に基づいて、選択された度合いの画像処理を撮影画像に施す。
【００９７】
通信制御部３２５は、通信部２０３を制御し、インターネットなどのネットワークを介した通信に関する処理を行う。例えば、通信制御部３２５は、通信部２０３を制御することで、撮影処理において得られた撮影画像や、編集処理において得られた編集画像を、外部のサーバへ送信する。
【００９８】
＜写真シール作成装置の動作＞
ここで、図１１のフローチャートを参照して、写真シール作成ゲームを提供する写真シール作成装置１の動作について説明する。図１１の処理は、所定の金額分の硬貨が硬貨投入口８７に投入されたときに開始される。
【００９９】
ステップＳ１において、撮影処理部３０１は、撮影部２０８を制御することで、撮影処理を行う。具体的には、撮影処理部３０１は、カメラ９１に取り込まれた被写体のライブビュー画像をタッチパネルモニタ９３に表示させ、撮影空間Ａ１にいる利用者を被写体とした撮影を行い、撮影画像を生成する。
【０１００】
ステップＳ２において、編集処理部３０２は、撮影処理を終えた利用者の移動先とした方の編集空間に対応する編集部２０９を制御することで、編集処理を行う。具体的には、編集処理部３０２は、撮影処理により得られた撮影画像について利用者に編集作業を行わせることで、編集が施された編集画像を生成する。
【０１０１】
ステップＳ３において、印刷処理部３０３は、プリンタ２４１を制御することで、印刷処理を開始する。具体的には、印刷処理部３０３は、編集処理により得られた編集画像を、プリンタ２４１に出力してシール紙に印刷させる。なお、撮影処理により得られた撮影画像が、シール紙に印刷されるようにしてもよい。
【０１０２】
ステップＳ４において、事後選択処理部３０４は、タブレット内蔵モニタ１４１を制御することで、事後選択処理を行う。具体的には、事後選択処理部３０４は、印刷が終わるのを待っている利用者に事後選択作業を行わせ、選択された撮影画像や編集画像を利用者の携帯端末に送信するために、その画像をサーバに送信する。
【０１０３】
印刷が終了すると、ステップＳ５において、プリンタ２４１は、印刷済みのシール紙をシール紙排出口１４２に排出し、処理を終了させる。
【０１０４】
＜撮影処理の詳細＞
次に、図１２のフローチャートを参照して、上述した写真シール作成ゲームの一連の処理におけるステップＳ１の撮影処理の詳細について説明する。
【０１０５】
撮影処理が開始されると、ステップＳ１１において、表示制御部３１１は、人数選択画面をタッチパネルモニタ９３に表示させる。
【０１０６】
人数選択画面は、利用者の人数の選択に用いられる画面である。選択される利用者の人数には、「２人」と「３人以上」とがある。人数選択画面には、「２人」および「３人以上」それぞれを選択するための２つのボタンが表示される。
【０１０７】
人数選択画面において、人数を選択するためのボタンのいずれかが選択されると、認識撮影の仕方を説明する画面がタッチパネルモニタ９３に表示されるなどしてガイダンスが出力される。その後、ステップＳ１２において、撮影制御部３１２は、認識撮影を行う。認識撮影の詳細については後述する。なお、人数選択画面において、人数を選択するためのボタンのいずれもが選択されずに所定時間が経過した（タイムアウトになった）場合には、写真シール作成装置１の利用者として最も多い「２人」が選択されたものとして処理が進む。
【０１０８】
認識撮影が終了すると、ステップＳ１３において、表示制御部３１１は、写りコース選択画面をタッチパネルモニタ９３に表示させる。
【０１０９】
写りコース選択画面は、撮影画像に写る被写体の写りを決定する写りコースの選択に用いられる画面である。写りコースには、「Lightコース」と「Clearコース」とがある。Lightコースは、肌の色を若干黄みを帯びた色にすることで、撮影画像に写る被写体の肌の質感を自然でうるおいのあるものとするための写りコースである。Clearコースは、肌の色を若干青みを帯びた色にすることで、撮影画像に写る被写体の肌の質感を色白で透明感のあるものとするための写りコースである。
【０１１０】
写りコースにより決定される被写体の写りは、撮影画像に対して施される画像処理によって決定される。例えば、被写体の写りは、撮影画像における人物領域の彩度、明度、シャープネス、コントラストなどの少なくともいずれかを調整することで決定される。また、被写体の写りは、撮影空間Ａ１内の各ストロボユニットの発光を制御することで決定されるようにしてもよい。
【０１１１】
写りコース選択画面が操作されることによって、いずれかの写りコースが選択されると、撮影（通常撮影）の仕方を説明する画面がタッチパネルモニタ９３に表示されるなどしてガイダンスが出力される。その後、ライブビュー表示画面がタッチパネルモニタ９３に表示される。
【０１１２】
その状態で撮影タイミングになったとき、ステップＳ１４において、撮影制御部３１２は、１回目の撮影を行う。撮影によって得られた撮影画像は、撮影結果としてタッチパネルモニタ９３に表示される。利用者は、１回目の撮影結果を確認しながら、次の撮影の準備を行うことができる。
【０１１３】
そして、２回目以降の撮影が行われる。すなわち、２回目の撮影タイミングになったとき、ステップＳ１５において、撮影制御部３１２は、２回目の撮影を行う。
【０１１４】
同様にして、ステップＳ１６乃至Ｓ１８において、撮影制御部３１２は、それぞれ３乃至５回目の撮影を行う。
【０１１５】
なお、１乃至５回目の撮影としては、それぞれアップ撮影が行われるようにもできるし、全身撮影が行われるようにもできる。
【０１１６】
アップ撮影は、顔を中心として、利用者のほぼ胸から上の範囲（上半身）が写る画像であるアップ画像を得るための撮影である。全身撮影は、利用者の全身が写る画像である全身画像を得るための撮影である。全身撮影においては、斜め上から見た利用者の全身が写る画像が得られるようにもできるし、正面から見た利用者の全身が写る画像が得られるようにもできる。
【０１１７】
以下においては、１乃至５回目の撮影として、正面から見た利用者の全身が写る画像を得るための正面全身撮影が行われるものとして説明する。
【０１１８】
このようにして、ステップＳ１４乃至Ｓ１８において５回の撮影が行われた後、ステップＳ１９において、撮影処理部３０１は、撮影空間Ａ１にいる利用者に対して、編集空間Ａ２−１または編集空間Ａ２−２への移動を案内する。編集空間Ａ２−１または編集空間Ａ２−２への移動の案内は、撮影部２０８のタッチパネルモニタ９３に案内画面を表示させることによって、または音声をスピーカ２２３から出力させることによって行われる。
【０１１９】
＜認識撮影の詳細＞
上述したように、認識撮影は、人物を認識するために行われる撮影であり、認識撮影により得られた認識用画像は、人物を認識するために用いられる。
【０１２０】
このような目的から、認識撮影のガイダンスでは、利用者に対して、正面を向いて撮影することを促す画面の表示や音声の出力が行われる。
【０１２１】
そのガイダンスが終了すると、撮影制御部３１２によって、カメラ９１による動画像の撮影が開始され、撮影によって得られた動画像がライブビュー表示画面に表示される。
【０１２２】
図１３は、認識撮影のライブビュー表示画面の例を示す図である。
【０１２３】
ライブビュー表示画面の上部には、「枠の中に入って前を向いて撮影してね」のメッセージが表示され、その下に設けられた画像表示領域４１１，４１２には、２人の利用者それぞれが映る動画像がリアルタイムで表示される。
【０１２４】
カメラ９１に取り込まれた動画像から、所定の範囲が切り出されて、画像表示領域４１１，４１２の表示に用いられる。２人の利用者は、画像表示領域４１１，４１２の表示を確認しながら、それぞれの全身が画像表示領域４１１，４１２の枠に収まるように、立ち位置を調整する。これにより、認識用画像における認識の精度を確保することができる。
【０１２５】
このようなライブビュー画像が所定時間表示された後、撮影前のカウントダウンが開始され、撮影のタイミングになったとき、撮影制御部３１２は、認識用画像としての静止画像を取得する撮影を行う。
【０１２６】
その後、認識部３１３は、撮影により得られた認識用画像において人物を認識し、登録部３１４は、認識部３１３による認識に成功した人物の全身画像をデータベースに登録する。
【０１２７】
なお、図１３のライブビュー表示画面において、２人の利用者それぞれが個別に映る動画像が表示される画像表示領域４１１，４１２が設けられるものとしたが、図１４に示されるように、２人の利用者が一緒に映る動画像が表示される１つの画像表示領域４１３のみが設けられるようにしてもよい。
【０１２８】
図１４の例においては、画像表示領域４１３上に、２人の利用者の全身が収まるべき位置を示す矩形の枠４２１，４２２が表示され、２人の利用者は、枠４２１，４２２の表示を確認しながら、それぞれの全身が枠４２１，４２２に収まるように、立ち位置を調整するようになる。なお、図１４の例では、枠４２１，４２２それぞれの形状は、矩形であるものとしたが、直立する人物をかたどったような形状であってもよい。
【０１２９】
また、図１４の枠４２１，４２２の表示に代えて、枠４２１，４２２に対応する領域外の領域の透過度を高くするようにしてもよい。この場合、２人の利用者は、自身の全身がよりはっきりと映る領域内の表示を確認しながら、それぞれの全身がその領域に収まるように、立ち位置を調整するようになる。
【０１３０】
さらに、図１５に示されるように、画像表示領域４１３上に、２人の利用者の顔が収まるべき位置を示す枠４３１，４３２が表示されるようにしてもよい。この場合、２人の利用者は、それぞれの顔が枠４３１，４３２に収まるように顔の位置を調整することで、立ち位置を調整するようになる。
【０１３１】
また、ライブビュー画像において顔認識が行われるようにして、認識に成功している顔に対して、枠４３１，４３２のような枠が表示されるようにしてもよい。ここで、認識に失敗するような位置に、利用者の顔が移動するなどした場合には、ライブビュー画像において、顔の認識に成功する位置に顔を誘導するための表示がなされるようにしてもよい。
【０１３２】
さらに、ライブビュー画像に対して上述した枠などを表示せず、顔認識により認識された顔を含む領域が切り出されて表示されるようにしてもよい。
【０１３３】
また、顔認識は、ライブビュー画像の原画像全体を、複数の領域に区画し、区画された領域毎に行われるようにする。例えば、利用者が２人の場合には、ライブビュー画像の原画像全体を左右半分の領域に区画し、左右それぞれの領域について、顔認識が行われるようにする。
【０１３４】
なお、利用者が３人以上の場合、ライブビュー画像において、利用者同士の顔の一部が重なってしまい、顔認識に失敗するおそれがある。そこで、認識撮影は、人数選択画面において「２人」が選択された場合にのみ行われるようにしてもよい。なお、人数選択画面において「３人以上」が選択された場合には、後述する画像処理が、利用者毎ではなく、全ての利用者に対して一括して施されるようにする。以下においては、主に、人数選択画面において「２人」が選択された場合の例について説明する。
【０１３５】
＜編集処理の詳細＞
次に、図１６のフローチャートを参照して、上述した写真シール作成ゲームの一連の処理におけるステップＳ２の編集処理の詳細について説明する。
【０１３６】
編集処理が開始されると、ステップＳ３１において、表示制御部３２１は、タブレット内蔵モニタ１３１にレタッチガイダンス画面を表示させる。
【０１３７】
レタッチガイダンス画面は、撮影画像に写る利用者の全身を、自分のなりたいスタイルに仕上げるためのレタッチ機能を利用者に案内するための画面である。
【０１３８】
レタッチガイダンス画面が所定時間表示された後、処理はステップＳ３２に進む。
【０１３９】
ステップＳ３２において、表示制御部３２１は、タブレット内蔵モニタ１３１にレタッチ画面を表示させる。
【０１４０】
レタッチ画面は、レタッチ機能を提供するための画面であり、撮影画像に写る利用者の全身またはその一部に施される画像処理の度合いを選択するための画面である。レタッチ機能を提供する画像処理の種類としては、脚の長さを変える処理や、脚の細さを変える処理、身長を変える処理などがある。
【０１４１】
また、レタッチ画面として、画像処理の種類毎に１つの画面が表示されるようにしてもよいし、複数種類の画像処理について１つの画面が表示されるようにしてもよい。レタッチ画面の例については後述する。
【０１４２】
レタッチ画面において、レタッチ機能を提供する画像処理の度合いが選択されると、処理はステップＳ３３に進む。
【０１４３】
ステップＳ３３において、表示制御部３２１は、タブレット内蔵モニタ１３１に背景選択画面を表示させる。
【０１４４】
背景選択画面は、撮影により得られた撮影画像の背景となる背景画像の選択に用いられる画面である。背景選択画面には、背景画像が複数枚表示される。利用者は、その複数枚の背景画像の中から、撮影処理において行われる撮影により得られた撮影画像の枚数と同じ数の背景画像を選択することができる。なお、背景選択画面には、撮影画像において人物の前景となる前景画像を含む背景画像が表示されるようにしてもよいし、前景画像のみからなる画像が表示されるようにしてもよい。
【０１４５】
本実施の形態の撮影処理においては、合計５回の通常撮影が行われるので、利用者は、背景選択画面に表示される複数枚の背景画像の中から、１乃至５回目の撮影により得られた５枚の撮影画像に対応する５枚の背景画像を選択することができる。なお、利用者が、背景選択画面において、５枚の背景画像がセットになったセット背景を選択することで、５枚の撮影画像についての背景画像が一括して選択されるようにしてもよい。
【０１４６】
背景選択画面において、５枚の背景画像が選択されると、処理はステップＳ３４に進む。
【０１４７】
ステップＳ３４において、表示制御部３２１は、タブレット内蔵モニタ１３１に名前入力画面を表示させる。
【０１４８】
名前入力画面は、利用者による名前の入力に用いられる画面である。名前入力画面には、名前の入力に用いることが可能なひらがなを選択するためのボタンと、選択されたボタンに対応する文字列が表示されるテキストボックスが表示される。
【０１４９】
名前入力画面において、名前の入力が終了すると、処理はステップＳ３５に進む。
【０１５０】
ステップＳ３５において、表示制御部３２１は、タブレット内蔵モニタ１３１に編集画面を表示させる。
【０１５１】
編集画面は、編集対象となる撮影画像の編集に用いられる画面である。編集画面には、編集対象となる撮影画像と、編集に用いられるスタンプ画像やペン画像などの各種の編集ツール（合成用画像）が表示される。
【０１５２】
利用者がタッチペン１３２Ａ，１３２Ｂを用いて、スタンプ画像やペン画像などを編集対象となる撮影画像上の所定の位置へ重畳することで、編集対象となる撮影画像に対する合成用画像の合成が行われる。
【０１５３】
すなわち、ステップＳ３６において、編集制御部３２２は、利用者の操作に応じて、編集対象となる撮影画像に編集を施す。
【０１５４】
なお、編集画面において、編集対象となる撮影画像は、レタッチ画面において先に選択された度合いの画像処理が施された状態で表示される。これにより、利用者は、レタッチ画面で選択した度合いの画像処理が施された撮影画像を確認しながら、編集作業を行うことができる。
【０１５５】
編集作業が終了すると、ステップＳ３７において、表示制御部３２１は、タブレット内蔵モニタ１３１に分割数選択画面を表示させる。
【０１５６】
分割数選択画面は、最終的に出力されるシール紙の分割数やシールレイアウトの選択に用いられる画面である。シールレイアウトは、１枚のシール紙に配置される編集画像（撮影画像）の枚数や位置、大きさを決定するレイアウト（配置パターン）である。ここで、利用者により選択されたシールレイアウトに従って編集画像が配置されてなる画像をレイアウト画像という。
【０１５７】
したがって、分割数選択画面には、１乃至５回目の撮影により得られた５枚の撮影画像それぞれに編集が施された編集画像が、異なるシールレイアウトで配置されたレイアウト画像が複数表示される。
【０１５８】
分割数選択画面において、レイアウト画像のいずれかが選択されると、処理はステップＳ３８に進む。
【０１５９】
ステップＳ３９において、編集処理部３０２は、編集作業を終えた利用者に対して、印刷待ち空間Ａ３への移動を案内する。印刷待ち空間Ａ３への移動の案内は、編集部２０９のタブレット内蔵モニタ１３１に案内画面を表示させることによって、または音声をスピーカ２３１から出力させることによって行われる。
【０１６０】
＜レタッチ画面の例＞
ここで、上述した編集処理のステップＳ３２において表示されるレタッチ画面の例について説明する。
【０１６１】
図１７は、レタッチ画面の一例として表示される脚の長さ選択画面を示す図である。
【０１６２】
脚の長さ選択画面においては、主な構成が左右対称に設けられている。このような画面構成により、２人の利用者がそれぞれ脚の長さを同時に選択することができる。
【０１６３】
脚の長さ選択画面において、左右それぞれの領域の上側には、画像表示領域５１１Ｌ，５１１Ｒが設けられる。画像表示領域５１１Ｌ，５１１Ｒには、認識撮影により得られた認識用画像において認識部３１３による認識に成功した人物の全身画像がそれぞれ表示される。
【０１６４】
画像表示領域５１１Ｌ，５１１Ｒそれぞれの下方には、選択領域５１２Ｌ，５１２Ｒが設けられる。選択領域５１２Ｌ，５１２Ｒそれぞれには、通常撮影により得られた５枚の撮影画像（全身画像）それぞれに写る利用者の脚の長さを選択するためのボタン５２１−１乃至５２１−３が設けられる。
【０１６５】
ボタン５２１−１乃至５２１−３それぞれは、脚の長さを変える画像処理の度合いに対応する。ボタン５２１−１は、脚の長さとして「ナチュラル」を選択するためのボタンであり、ボタン５２１−２は、脚の長さとして「おすすめ」を選択するためのボタンであり、ボタン５２１−３は、脚の長さとして「モデル」を選択するためのボタンである。「ナチュラル」は、脚の長さを自然な長さに伸ばす画像処理に対応し、「モデル」は、脚の長さをモデル並みに伸ばす画像処理に対応する。また、「おすすめ」は、脚の長さを、「ナチュラル」と「モデル」の中間となる長さに伸ばす画像処理に対応する。なお、モデル並みの脚の長さとは、例えば、股下が身長の46％乃至48％程度となる脚の長さとされる。
【０１６６】
また、ボタン５２１−１乃至５２１−３それぞれには、撮影画像において、その画像処理が施される利用者の部分に対応する画像が表示される。具体的には、ボタン５２１−１には、「ナチュラル」の脚の長さに変える画像処理の結果を表す脚の部分の画像が表示され、ボタン５２１−２には、「おすすめ」の脚の長さに変える画像処理の結果を表す脚の部分の画像が表示される。また、ボタン５２１−３には、「モデル」の脚の長さに変える画像処理の結果を表す脚の部分の画像が表示される。
【０１６７】
このように、選択領域に表示される各ボタンに、脚の部分の画像が表示されることで、画像処理の対象となる領域が明確になり、利用者は、全身のうちのどの部分が変更されるかを容易に確認することができる。
【０１６８】
なお、ボタン５２１−１乃至５２１−３それぞれに表示される画像は、あらかじめ用意されたモデルの脚の部分の画像であってもよいし、選択領域５１２Ｌ，５１２Ｒそれぞれに対応する画像表示領域５１１Ｌ，５１１Ｒに表示されている利用者の脚の部分の画像であってもよい。また、ボタン５２１−１乃至５２１−３それぞれに画像は表示されず、対応する脚の長さを表す文字列のみが表示されるようにしてもよい。なお、ボタン５２１−１乃至５２１−３の形状は、図１７に示されるような矩形に限らず、任意の形状とすることができる。
【０１６９】
ボタン５２１−１乃至５２１−３のいずれかが選択されると、表示制御部３２１は、画像表示領域５１１Ｌ，５１１Ｒに表示されている全身画像を、選択されたボタンに対応する脚の長さに変える画像処理が施された全身画像に切り替える。
【０１７０】
具体的には、脚の長さ選択画面左側の選択領域５１２Ｌにおいて、ボタン５２１−１乃至５２１−３のいずれかが選択される毎に、画像表示領域５１１Ｌに表示されている全身画像が、選択されたボタンに対応する脚の長さに変える画像処理が施された全身画像に切り替わる。同様に、脚の長さ選択画面右側の選択領域５１２Ｒにおいて、ボタン５２１−１乃至５２１−３のいずれかが選択される毎に、画像表示領域５１１Ｒに表示されている全身画像が、選択されたボタンに対応する脚の長さに変える画像処理が施された全身画像に切り替わる。
【０１７１】
なお、画像表示領域５１１Ｌ，５１１Ｒに表示される全身画像は、いずれの処理も施されていない全身画像に、ボタン５２１−１乃至５２１−３それぞれに対応する度合いの画像処理が施されたものがあらかじめ用意されることで、ボタン５２１−１乃至５２１−３のいずれかが選択される毎に切り替わって表示される。しかしながら、これに限らず、ボタン５２１−１乃至５２１−３のいずれかが選択される毎に、画像処理部３２４により、いずれの処理も施されていない全身画像に、選択されたボタンに対応する度合いの画像処理が施されて表示されるようにしてもよい。
【０１７２】
このようにして、利用者は、画像表示領域５１１Ｌ，５１１Ｒに表示されている全身画像の変化を確認することで、所望の脚の長さを選択することができる。
【０１７３】
ボタン５２１−１乃至５２１−３の下方には、ＯＫボタン５２２が設けられる。
【０１７４】
ボタン５２１−１乃至５２１−３のいずれかが選択された状態で、ＯＫボタン５２２が押下されることで、脚の長さを変える画像処理の度合いが決定され、撮影画像それぞれに写る利用者の脚の部分に対して、決定された度合いの画像処理が施される。
【０１７５】
具体的には、脚の長さ選択画面左側の選択領域５１２Ｌにおいて、ボタン５２１−１乃至５２１−３のいずれかが選択された状態で、ＯＫボタン５２２が押下された場合、撮影画像それぞれの左側に写る利用者の脚の部分に対して、選択されたボタンに対応する度合いの画像処理が施される。同様にして、脚の長さ選択画面右側の選択領域５１２Ｒにおいて、ボタン５２１−１乃至５２１−３のいずれかが選択された状態で、ＯＫボタン５２２が押下された場合、撮影画像それぞれの右側に写る利用者の脚の部分に対して、選択されたボタンに対応する度合いの画像処理が施される。
【０１７６】
なお、脚の長さ選択画面の中心よりやや上の位置には、両矢印の形状の入れ替えボタン５１３が設けられる。撮影空間においてカメラ９１に向かう２人の利用者の左右の位置と、編集空間においてタブレット内蔵モニタ１３１に向かう２人の利用者の左右の位置とが異なってしまう場合がある。この場合、利用者のいずれかが、入れ替えボタン５１３を操作することで、脚の長さ選択画面の左右と利用者とが一対一の対応関係となり、利用者それぞれが、立ち位置を変えることなく、自身についての画像処理の度合いを選択することができる。
【０１７７】
図１８は、レタッチ画面の一例として表示される脚の細さ選択画面を示す図である。
【０１７８】
脚の細さ選択画面は、基本的には、図１７の脚の長さ選択画面と同様の構成を有し、主な構成が左右対称に設けられている。このような画面構成により、２人の利用者がそれぞれ脚の細さを同時に選択することができる。
【０１７９】
脚の細さ選択画面において、左右それぞれの領域の上側には、図１７の脚の長さ選択画面と同様、画像表示領域５１１Ｌ，５１１Ｒが設けられる。
【０１８０】
画像表示領域５１１Ｌ，５１１Ｒそれぞれの下方には、選択領域５３１Ｌ，５３１Ｒが設けられる。選択領域５３１Ｌ，５３１Ｒそれぞれには、通常撮影により得られた５枚の撮影画像（全身画像）それぞれに写る利用者の脚の細さを選択するためのボタン５４１−１乃至５４１−３が設けられる。
【０１８１】
ボタン５４１−１乃至５４１−３それぞれは、脚の細さを変える画像処理の度合いに対応する。ボタン５４１−１は、脚の細さとして「ナチュラル」を選択するためのボタンであり、ボタン５４１−２は、脚の細さとして「おすすめ」を選択するためのボタンであり、ボタン５４１−３は、脚の細さとして「モデル」を選択するためのボタンである。「ナチュラル」は、脚の細さを自然な細さにする画像処理に対応し、「モデル」は、脚の細さをモデル並みに細くする画像処理に対応する。また、「おすすめ」は、脚の細さを、「ナチュラル」と「モデル」の中間となる細さにする画像処理に対応する。
【０１８２】
また、ボタン５４１−１乃至５４１−３それぞれには、撮影画像において、その画像処理が施される利用者の部分に対応する画像が表示される。具体的には、ボタン５４１−１には、「ナチュラル」の脚の細さに変える画像処理の結果を表す脚の部分の画像が表示され、ボタン５２１−２には、「おすすめ」の脚の細さに変える画像処理の結果を表す脚の部分の画像が表示される。また、ボタン５２１−３には、「モデル」の脚の細さに変える画像処理の結果を表す脚の部分の画像が表示される。
【０１８３】
なお、ボタン５４１−１乃至５４１−３それぞれに表示される画像は、あらかじめ用意されたモデルの脚の部分の画像であってもよいし、選択領域５３１Ｌ，５３１Ｒそれぞれに対応する画像表示領域５１１Ｌ，５１１Ｒに表示されている利用者の脚の部分の画像であってもよい。また、ボタン５４１−１乃至５４１−３それぞれに画像は表示されず、対応する脚の細さを表す文字列のみが表示されるようにしてもよい。なお、ボタン５４１−１乃至５４１−３の形状は、図１８に示されるような矩形に限らず、任意の形状とすることができる。
【０１８４】
ボタン５４１−１乃至５４１−３のいずれかが選択されると、表示制御部３２１は、画像表示領域５１１Ｌ，５１１Ｒに表示されている全身画像を、選択されたボタンに対応する脚の細さに変える画像処理が施された全身画像に切り替える。
【０１８５】
具体的には、脚の細さ選択画面左側の選択領域５３１Ｌにおいて、ボタン５４１−１乃至５４１−３のいずれかが選択される毎に、画像表示領域５１１Ｌに表示されている全身画像が、選択されたボタンに対応する脚の細さに変える画像処理が施された全身画像に切り替わる。同様に、脚の細さ選択画面右側の選択領域５３１Ｒにおいて、ボタン５４１−１乃至５４１−３のいずれかが選択される毎に、画像表示領域５１１Ｒに表示されている全身画像が、選択されたボタンに対応する脚の細さに変える画像処理が施された全身画像に切り替わる。
【０１８６】
ここでも、画像表示領域５１１Ｌ，５１１Ｒに表示される全身画像は、いずれの処理も施されていない全身画像に、ボタン５４１−１乃至５４１−３それぞれに対応する度合いの画像処理が施されたものがあらかじめ用意されることで、ボタン５４１−１乃至５４１−３のいずれかが選択される毎に切り替わって表示される。しかしながら、これに限らず、ボタン５４１−１乃至５４１−３のいずれかが選択される毎に、画像処理部３２４により、いずれの処理も施されていない全身画像に、選択されたボタンに対応する度合いの画像処理が施されて表示されるようにしてもよい。
【０１８７】
このようにして、利用者は、画像表示領域５１１Ｌ，５１１Ｒに表示されている全身画像の変化を確認することで、所望の脚の細さを選択することができる。
【０１８８】
ボタン５４１−１乃至５４１−３の下方には、ＯＫボタン５４２が設けられる。
【０１８９】
ボタン５４１−１乃至５４１−３のいずれかが選択された状態で、ＯＫボタン５４２が押下されることで、脚の細さを変える画像処理の度合いが決定され、撮影画像それぞれに写る利用者の脚の部分に対して、決定された度合いの画像処理が施される。
【０１９０】
具体的には、脚の細さ選択画面左側の選択領域５３１Ｌにおいて、ボタン５４１−１乃至５４１−３のいずれかが選択された状態で、ＯＫボタン５４２が押下された場合、撮影画像それぞれの左側に写る利用者の脚の部分に対して、選択されたボタンに対応する度合いの画像処理が施される。同様にして、脚の細さ選択画面右側の選択領域５３１Ｒにおいて、ボタン５４１−１乃至５４１−３のいずれかが選択された状態で、ＯＫボタン５４２が押下された場合、撮影画像それぞれの右側に写る利用者の脚の部分に対して、選択されたボタンに対応する度合いの画像処理が施される。
【０１９１】
なお、脚の細さ選択画面の中心よりやや上の位置には、図１７の脚の長さ選択画面と同様、入れ替えボタン５１３が設けられる。
【０１９２】
以上の構成によれば、脚の長さ選択画面や脚の細さ選択画面において、利用者それぞれが、脚の長さや脚の細さを変える画像処理の度合いを選択することができるので、利用者の全身が写る撮影画像について、利用者毎に所望のスタイルを選択することが可能となる。
【０１９３】
なお、図１７および図１８の例では、選択領域に、画像処理の度合いを選択するためのボタンが、GUIとして設けられるものとしたが、これらのボタンに代えて、スライダが設けられるようにしてもよい。これにより、ボタンと比べてより細かく、画像処理の度合いを選択（設定）することができ、より利用者の好みにあった画像を提供することができる。
【０１９４】
また、上述した脚の長さ選択画面や脚の細さ選択画面において、利用者それぞれが選択する脚の長さや脚の細さによっては、撮影画像に写る２人の利用者の脚の長さや細さに大きな差が生じ、撮影画像の見た目が不自然になるおそれがある。そこで、脚の長さ選択画面や脚の細さ選択画面において、利用者それぞれの全身画像が表示される画像表示領域に加え、２人の利用者が写る撮影画像（脚の長さや細さが変更された撮影画像）が表示される領域を設けるようにしてもよい。これにより、利用者は、撮影画像に写る２人の利用者の状態を確認することができ、撮影画像の見た目が不自然になるのを防ぐことができるようになる。
【０１９５】
ところで、利用者が、スマートフォンなどの携帯端末を用いて自分自身を撮影する、いわゆる「自撮り」によれば、利用者は、好きなときに好きな場所で、自分自身を撮影することができる。特に近年は、１人の利用者が、自身を含む複数人で「自撮り」を行うこともよく見受けられる。
【０１９６】
「自撮り」においては、利用者が、手にした携帯端末を、例えば自身の頭の斜め上に掲げることで撮影が行われる。そのため、被写体となる利用者自身と、携帯端末に内蔵されるカメラとの距離は、腕の長さ以上にはならないため、広角レンズを搭載したカメラであっても、得られる画像においては顔が大きく写り、全身が写る画像を得ることは難しい。
【０１９７】
したがって、携帯端末で、利用者の全身が写る画像を得るためには、カメラとの距離が適度に保たれた位置にある鏡に写る利用者の全身を撮影するか、または、第三者に撮影してもらうしかない。
【０１９８】
一方、写真シール作成装置１によれば、被写体となる利用者とカメラとの距離を適度に保ちつつ、整った光学環境の中で、利用者の全身を写す全身撮影が行われるので、完成度の高い全身画像を、利用者に提供することができる。
【０１９９】
さらに、本実施の形態によれば、得られる全身画像について、利用者毎に所望のスタイルを選択することができるので、利用者の満足度をより向上させることができる。
【０２００】
以上においては、撮影画像に写る利用者の全身のうち、脚の部分に施される画像処理の度合いを選択するためのレタッチ画面の例について説明してきた。これに限らず、レタッチ画面において、撮影画像に写る利用者の全身のうち、顔の部分に施される画像処理の度合いが選択されるようにしてもよい。
【０２０１】
顔の部分に施される画像処理の種類としては、目の大きさ、肌の明るさ、肌の色、顔の大きさ、髪の色、メイクの濃淡などを変える処理がある。これらの処理は、認識用画像や撮影画像における利用者の顔を認識することで、実現可能とされる。
【０２０２】
図１９は、レタッチ画面の一例として表示される目の大きさ選択画面を示す図である。
【０２０３】
目の大きさ選択画面もまた、基本的には、図１７の脚の長さ選択画面と同様の構成を有し、主な構成が左右対称に設けられている。このような画面構成により、２人の利用者がそれぞれ目の大きさを同時に選択することができる。
【０２０４】
目の大きさ選択画面において、左右それぞれの領域の上側には、図１７の脚の長さ選択画面と同様、画像表示領域５１１Ｌ，５１１Ｒが設けられる。
【０２０５】
画像表示領域５１１Ｌ，５１１Ｒそれぞれの下方には、選択領域５５１Ｌ，５５１Ｒが表示される。選択領域５５１Ｌ，５５１Ｒそれぞれには、撮影処理により得られた５枚の撮影画像（全身画像）それぞれに写る利用者の目の大きさを選択するためのボタン５６１−１乃至５６１−３が設けられる。
【０２０６】
ボタン５６１−１乃至５６１−３それぞれは、目の大きさを変える画像処理の度合いに対応する。ボタン５６１−１は、目の大きさとして「ナチュラル」を選択するためのボタンであり、ボタン５６１−２は、目の大きさとして「おすすめ」を選択するためのボタンであり、ボタン５６１−３は、目の大きさとして「ボリューム」を選択するためのボタンである。「ナチュラル」は、目の大きさを自然な大きさにする画像処理に対応し、「ボリューム」は、目の大きさを十分な大きさにする画像処理に対応する。また、「おすすめ」は、目の大きさを、「ナチュラル」と「ボリューム」の中間となる大きさにする画像処理に対応する。
【０２０７】
また、ボタン５６１−１乃至５６１−３それぞれには、撮影画像において、その画像処理が施される利用者の部分に対応する画像が表示される。具体的には、ボタン５６１−１には、「ナチュラル」の目の大きさに変える画像処理の結果を表す目の部分の画像が表示され、ボタン５６１−２には、「おすすめ」の目の大きさに変える画像処理の結果を表す目の部分の画像が表示される。また、ボタン５６１−３には、「ボリューム」の目の大きさに変える画像処理の結果を表す目の部分の画像が表示される。
【０２０８】
なお、ボタン５６１−１乃至５６１−３それぞれに表示される画像は、あらかじめ用意されたモデルの目の部分の画像であってもよいし、選択領域５５１Ｌ，５５１Ｒそれぞれに対応する画像表示領域５１１Ｌ，５１１Ｒに表示されている利用者の目の部分の画像であってもよい。また、ボタン５６１−１乃至５６１−３それぞれに画像は表示されず、対応する目の大きさを表す文字列のみが表示されるようにしてもよい。なお、ボタン５６１−１乃至５６１−３の形状は、図１９に示されるような矩形に限らず、任意の形状とすることができる。
【０２０９】
ボタン５６１−１乃至５６１−３のいずれかが選択されると、表示制御部３２１は、画像表示領域５１１Ｌ，５１１Ｒに表示されている全身画像を、選択されたボタンに対応する目の大きさに変える画像処理が施された全身画像に切り替える。
【０２１０】
具体的には、目の大きさ選択画面左側の選択領域５５１Ｌにおいて、ボタン５６１−１乃至５６１−３のいずれかが選択される毎に、画像表示領域５１１Ｌに表示されている全身画像が、選択されたボタンに対応する目の大きさに変える画像処理が施された全身画像に切り替わる。同様に、目の大きさ選択画面右側の選択領域５５１Ｒにおいて、ボタン５６１−１乃至５６１−３のいずれかが選択される毎に、画像表示領域５１１Ｒに表示されている全身画像が、選択されたボタンに対応する目の大きさに変える画像処理が施された全身画像に切り替わる。
【０２１１】
ここでも、画像表示領域５１１Ｌ，５１１Ｒに表示される全身画像は、いずれの処理も施されていない全身画像に、ボタン５６１−１乃至５６１−３それぞれに対応する度合いの画像処理が施されたものがあらかじめ用意されることで、ボタン５６１−１乃至５６１−３のいずれかが選択される毎に切り替わって表示される。しかしながら、これに限らず、ボタン５６１−１乃至５６１−３のいずれかが選択される毎に、画像処理部３２４により、いずれの処理も施されていない全身画像に、選択されたボタンに対応する度合いの画像処理が施されて表示されるようにしてもよい。
【０２１２】
このようにして、利用者は、画像表示領域５１１Ｌ，５１１Ｒに表示されている全身画像の変化を確認することで、所望の目の大きさを選択することができる。
【０２１３】
ボタン５６１−１乃至５６１−３の下方には、ＯＫボタン５６２が設けられる。
【０２１４】
ボタン５６１−１乃至５６１−３のいずれかが選択された状態で、ＯＫボタン５６２が押下されることで、目の大きさを変える画像処理の度合いが決定され、撮影画像それぞれに写る利用者の目の部分に対して、決定された度合いの画像処理が施される。
【０２１５】
具体的には、目の大きさ選択画面左側の選択領域５５１Ｌにおいて、ボタン５６１−１乃至５６１−３のいずれかが選択された状態で、ＯＫボタン５６２が押下された場合、撮影画像それぞれの左側に写る利用者の目の部分に対して、選択されたボタンに対応する度合いの画像処理が施される。同様にして、目の大きさ選択画面右側の選択領域５５１Ｒにおいて、ボタン５６１−１乃至５６１−３のいずれかが選択された状態で、ＯＫボタン５６２が押下された場合、撮影画像それぞれの右側に写る利用者の目の部分に対して、選択されたボタンに対応する度合いの画像処理が施される。
【０２１６】
なお、図１９の例では、画像表示領域５１１Ｌ，５１１Ｒに表示されている全身画像に目の大きさを変える画像処理が施されるものとしたが、全身画像全体に対して、画像処理が施される目の部分が小さいため、利用者にとっては、目の大きさがどのように変化したかがわかりにくい。そこで、画像表示領域５１１Ｌ，５１１Ｒにアップ画像が表示され、そのアップ画像に目の大きさを変える画像処理が施されるようにしてもよい。これにより、利用者にとって、目の大きさがどのように変化したかがわかりやすくなる。
【０２１７】
さて、上述したレタッチ画面により提供されるレタッチ機能においては、認識撮影と通常撮影とで、２人の利用者の左右の立ち位置が同じであることが前提とされている。
【０２１８】
すなわち、認識撮影により得られた認識用画像と、通常撮影により得られた撮影画像とにおいて、２人の利用者の左右の立ち位置が同じであることで、それぞれの利用者がレタッチ画面において選択した画像処理が、撮影画像に写る自分自身に施されるようになる。
【０２１９】
しかしながら、図２０に示されるように、認識用画像において認識された人物の全身画像Ｎ１１，Ｎ１２それぞれに写る利用者の立ち位置が、撮影画像Ｐ１１において左右に入れ替わった場合、一方の利用者がレタッチ画面において選択した画像処理は、撮影画像Ｐ１１に写る他方の利用者に施されてしまう。
【０２２０】
そこで、認識撮影により認識された利用者それぞれを、撮影画像において認証することで、一方の利用者がレタッチ画面において選択した画像処理が、通常撮影での立ち位置によらず、撮影画像に写るその利用者自身に施されるようにすることができる。
【０２２１】
具体的には、認識撮影において認識された利用者にIDを割り当て、通常撮影により得られた撮影画像において、IDが割り当てられた利用者が、どの部分に写っているのかが特定される。このような認証処理は、例えば、所定回数の通常撮影が全て終了した後に行われるか、通常撮影により１枚の撮影画像が得られる毎に行われる。
【０２２２】
＜認証処理の例１＞
まず、図２１のフローチャートを参照して、認証処理の第１の例について説明する。図２１の処理は、例えば、認識撮影が行われた後から、通常撮影が終了するまでの間に行われてもよいし、通常撮影が終了し、レタッチ画面が表示される前までの間に行われてもよい。
【０２２３】
ステップＳ５１において、撮影処理部３０１の認識部３１３は、認識撮影により得られた認識用画像において、人物の顔を認識する。認識撮影の際、所定の枠内に利用者それぞれの全身が収まるようにして撮影が行われるため、その枠内にある顔が、それぞれの利用者の顔として認識される。なお、顔の認識は、認識用画像の原画像に対して行われてもよいし、原画像から所定領域が切り出された切り出し画像に対して行われてもよい。
【０２２４】
ステップＳ５２において、登録部３１４は、認識部３１３により認識された顔にIDを割り当て、その顔を含む人物の全身画像を登録する。
【０２２５】
具体的には、まず、利用者（被写体）の顔の輪郭点が全て抽出される。このように輪郭点が抽出されるため、例えば、顔の部分に手があったり、横顔であったりすると、正確に輪郭を抽出できない可能性がある。
【０２２６】
しかしながら、本実施の形態のように認識撮影を行うことで、通常撮影のときとは異なり、利用者が、正面を向いた状態で、かつポーズをとらない状態で撮影を行う可能性が高くなる。すなわち、顔の部分に手があったり、横向きであったりする状態ではなく、顔の輪郭を抽出しやすい状態で認識撮影が行われる可能性が高くなる。
【０２２７】
これにより、輪郭点の抽出も正確に行うことができる。抽出された輪郭点により顔認証信頼度が算出される。そして、顔認証信頼度が最も高い顔の座標情報が確認され、その顔の中点が画像内の左側にあるか、右側にあるかで、利用者が認識される。例えば、図２２に示されるように、利用者が検出され、顔認証信頼度がそれぞれ算出されたとする。すなわち、画面内の右側に位置する利用者の顔認証信頼度が700と算出され、画面内の左側に位置する利用の顔認証信頼度が650と算出されたとする。図中の矩形は、顔領域の部分を示している。
【０２２８】
このような場合、顔認証信頼度が最も高い顔は、画像の中央を境界として、右半分に存在する顔であり、右の利用者として確定される。そして、右の利用者がID＝０と設定される。残りの利用者は、左の利用者とされ、ID＝１と設定される。IDが割り当てられた利用者の顔の情報、例えば、抽出された輪郭点の位置関係に加え、認識された顔および顔よりも下の領域を含む画像、すなわち全身画像が、認識結果としてデータベースに登録される。
【０２２９】
なお、２人の利用者が写っている画像であるため、一方の利用者の顔にIDが割り当てられた時点で、他方のIDを割り当てるようにしても良い。
【０２３０】
また、輪郭点全域ではなく、目、鼻、口、耳などの顔の器官だけを抽出してもよいし、顔の輪郭だけが抽出されてもよい。また、まず画像の最も左の利用者を認識し、次に右の利用者を認識する、という流れで処理が行われるようにしてもよい。この場合、左の１名が認識され、認識された人物以外の人物が認識される、という流れになる。
【０２３１】
ステップＳ５３において、編集処理部３０２の認証部３２３は、撮影画像を取得する。認証部３２３は、通常撮影が行われる度に撮影画像を取得するようにしてもよいし、通常撮影が全て終了した後に、全ての撮影画像を取得するようにしてもよい。
【０２３２】
ステップＳ５４において、認証部３２３は、取得された撮影画像から、１つの顔を検出し、データベースに登録されている情報との比較を行う。
【０２３３】
そして、ステップＳ５５において、認証部３２３は、比較結果を用いて、ID毎に顔照合信頼度を算出する。
【０２３４】
例えば、図２３に示されるような画像が、撮影画像として取得されたとする。まず、撮影画像内の右側に位置する利用者が検出される。ここでの検出は、ステップＳ５１において実行される認識と同様に、例えば、顔の輪郭点を抽出したり、顔の器官を抽出したりすることで行われる。
【０２３５】
そして、検出された顔の情報と、データベースに登録されている顔の情報（認識結果）とが比較される。例えば、データベースに登録されている顔の情報が、顔の輪郭点の位置関係に関する情報であった場合、検出された顔の輪郭点の位置関係の情報が生成され、生成された情報と、登録されている情報とが比較される。
【０２３６】
まず、データベース内のID＝０の情報と、検出された顔の情報とが比較され、顔照合信頼度が算出される。顔照合信頼度は、ID＝０が割り当てられた利用者との照合結果が、どれだけ信頼できるかを示す値であり、この数値が高いほど、データベースに登録された顔と類似していることを示す。顔照合信頼度は、例えば０乃至1000の値をとり得る値とされる。
【０２３７】
図２３においては、右側に位置する利用者のID＝０との顔照合信頼度は、710と算出されている。また、同様に、ID＝１との顔照合信頼度は、650と算出されている。このように、１つの顔に対して、ID毎に顔照合信頼度が算出される。
【０２３８】
そして、ステップＳ５６において、認証部３２３は、顔照合信頼度が高いIDをその画像の利用者のIDとして確定する。図２３の例では、撮影画像内の右側に位置する利用者は、ID＝０との顔照合信頼度の方が、ID＝１との顔照合信頼度よりも高いので、右側に位置する利用者は、ID＝０が割り当てられた利用者であると判断される。よって、図２３に示された撮影画像においては、右側に位置する利用者は、ID＝０が割り当てられた利用者であると確定される。
【０２３９】
ステップＳ５７において、撮影画像内に他の顔があるか否かが判断される。上述した例では、右側に位置する利用者に対する処理が終了しただけであるので、まだ左側に位置する利用者の顔は処理していないと判断され、処理はステップＳ５５に戻る。
【０２４０】
左側に位置している利用者の顔に対しても、右側に位置している利用者の顔に対する処理と同様の処理が行われることで、ID毎の顔照合信頼度が算出される。図２３の例では、左側に位置する利用者のID＝０との顔照合信頼度は700であり、ID＝１との顔照合信頼度は800であると算出されている。
【０２４１】
よって、図２３の例では、撮影画像内の左側に位置する利用者は、ID＝０との顔照合信頼度の方が、ID＝１との顔照合信頼度よりも低いので、左側に位置する利用者は、ID＝１の利用者であると判断される。よって、図２３に示される撮影画像においては、左側に位置する利用者は、ID＝１が割り当てられた利用者であると確定される。
【０２４２】
このようにして、撮影画像内の利用者毎にIDが割り当てられる。仮に、２人の利用者がデータベースに登録されている状態で、３人の利用者が検出された場合、その中の１人の利用者の顔照合信頼度は、他の利用者の顔照合信頼度よりも低い値となる。そのような他の利用者よりも低い顔照合信頼度が算出された利用者は、データベースに登録されていない利用者であるとして処理される。
【０２４３】
このようにして、撮影画像内の利用者毎にIDを割り当てる処理が、全ての撮影画像に対して行われる。例えば、通常撮影により５枚の撮影画像が取得される場合、５枚の撮影画像が処理されたと判断されるまで、まだIDが割り振られていない撮影画像に対する処理が繰り返される。
【０２４４】
その結果、撮影画像毎に、撮影画像内の利用者に対してIDが割り当てられ、同一のIDは、同一の利用者であるとして処理される。このようにして、撮影画像毎に、データベースに登録されている利用者との照合が行われることで、撮影画像毎に、どの利用者が、どの立ち位置で撮影されているかを判断することができる。
【０２４５】
例えば、ID＝０が割り当てられた利用者Ａが、脚の長さを「おすすめ」に変更するという指示を出したとき、各撮影画像において、ID＝０が割り当てられた画像に対して、脚の長さを「おすすめ」に変更するための画像処理が実行される。
【０２４６】
利用者の立ち位置は、全ての撮影画像において同じであるとは限らない。すなわち、例えば、１回目の撮影で左側に立っていた利用者が、２回目の撮影では右側に立ち位置を変えているような場合もある。このような立ち位置の変更があったような場合でも、撮影画像毎に利用者を認証しているため、適切に画像処理を施すことが可能となる。すなわち、立ち位置などに関係なく、利用者が所望した画像処理を、利用者毎に施すことが可能となる。
【０２４７】
以上においては、利用者の顔を認識することで、撮影画像に写る利用者を認証する処理について説明したが、利用者の全身を認識することで、撮影画像に写る利用者を認証することもできる。
【０２４８】
＜認証処理の例２＞
次に、図２４のフローチャートを参照して、認証処理の第２の例について説明する。図２４の処理もまた、例えば、認識撮影が行われた後から、通常撮影が終了するまでの間に行われてもよいし、通常撮影が終了し、レタッチ画面が表示される前までの間に行われてもよい。
【０２４９】
ステップＳ７１において、撮影処理部３０１の認識部３１３は、認識撮影により得られた認識用画像において、人物の全身を認識する。ここでは、認識用画像として距離画像が生成され、生成された距離画像から人物領域が抽出されることで、人物の全身が認識される。ここで、距離画像は、例えば、TOF（Time of Flight）方式により、照射光と反射光との位相差を用いて、撮影空間Ａ１内の対象物までの距離を示す距離値を、距離画像の各画素の画素値として算出することで生成される。TOF方式に限らず、ストラクチャ光照明方式やInfraredDepth方式、ステレオカメラ方式などの公知の方式より、距離画像が生成されるようにしてもよい。
【０２５０】
ステップＳ７２において、登録部３１４は、認識部３１３により認識された人物の全身にIDを割り当て、その全身画像を登録する。
【０２５１】
ここでは、まず、利用者（被写体）の全身の輪郭点が全て抽出される。抽出された輪郭点により全身認証信頼度が算出される。全身認証信頼度が最も高い全身の座標情報が確認され、その全身の中点が画像内の左側にあるか、右側にあるかで、利用者が認識され、IDが割り当てられる。IDが割り当てられた利用者の全身画像に加え、全身の輪郭点の位置関係や、輪郭点で囲まれる領域に含まれる肌色領域を示す情報が、認識結果としてデータベースに登録される。
【０２５２】
なお、輪郭点全域ではなく、レタッチ機能を提供する画像処理の対象となる脚などの部分だけが抽出されてもよい。
【０２５３】
ステップＳ７３において、編集処理部３０２の認証部３２３は、撮影画像を取得する。認証部３２３は、通常撮影が行われる度に撮影画像を取得するようにしてもよいし、通常撮影が全て終了した後に、全ての撮影画像を取得するようにしてもよい。
【０２５４】
ステップＳ７４において、認証部３２３は、取得された撮影画像から、１つの全身を検出し、データベースに登録されている情報との比較を行う。
【０２５５】
ステップＳ７５において、認証部３２３は、比較結果を用いて、ID毎に全身照合信頼度を算出する。全身照合信頼度の算出は、上述した顔照合信頼度の算出と同様にして行われる。
【０２５６】
ステップＳ７６において、認証部３２３は、全身照合信頼度が高いIDをその画像の利用者のIDとして確定する。
【０２５７】
ステップＳ７７において、撮影画像内に他の全身があるか否かが判断される。撮影画像において、上述した処理がされていない全身があると判断された場合、ステップＳ７５に戻り、それ以降の処理が繰り返される。
【０２５８】
このようにして、撮影画像内の利用者毎にIDが割り当てられる処理が、全ての撮影画像に対して行われる。例えば、通常撮影により５枚の撮影画像が取得される場合、５枚の撮影画像が処理されたと判断されるまで、まだIDが割り振られていない撮影画像に対する処理が繰り返される。
【０２５９】
その結果、撮影画像毎に、撮影画像内の利用者に対してIDが割り当てられ、同一のIDは、同一の利用者であるとして処理される。このようにして、撮影画像毎に、データベースに登録されている利用者との照合が行われることで、撮影画像毎に、どの利用者が、どの立ち位置で撮影されているかを判断することができる。
【０２６０】
なお、図２４の処理によれば、顔の認識に失敗するような場合であっても、利用者の全身を認識することができるので、より確実に利用者を認証することができるようになる。
【０２６１】
＜レタッチ機能を提供する画像処理の種類＞
上述した例において、レタッチ機能を提供する画像処理は、撮影画像における人物の顔や全身が認識されることで適切に施される。
【０２６２】
ここでは、レタッチ機能を提供する画像処理の種類について説明する。
【０２６３】
・顔認識に関する画像処理
目の大きさ、肌の明るさ、肌の色、顔の大きさ、髪の色、メイクの濃淡などを変える処理がある。これらの処理は、撮影画像における利用者の顔を認識することで、実現可能とされる。例えば、目の大きさを変える画像処理は、撮影画像における顔領域から目領域を抽出し、抽出された領域の拡大率を調整することで実現される。
【０２６４】
・全身認識に関する画像処理
以上においては、特に、利用者の全身についてのレタッチ機能を提供する構成について説明してきた。そこで、全身認識に関する画像処理の種類について詳細に説明する。
【０２６５】
（脚の長さ・脚の細さ）
脚の長さを変える処理は、足先から腰の領域を特定し、その領域を上下方向に伸長することで実現される。また、脚の細さを変える処理は、足先から腰の領域を特定し、その領域の境界部分を内側に向かう方向に移動することで実現される。
【０２６６】
これらの処理は、利用者が直立し脚が真っ直ぐな状態でなければ、適切に施されない。例えば、膝から足先が水平になるように、片方の脚の膝を曲げるようなポーズで写った場合、脚の長さや脚の細さを変える処理により、曲げた方の膝から足先が太くなったり短くなってしまう。そこで、全身の輪郭点に基づいて、脚が真っ直ぐな状態でないと判定された場合には、脚の長さや脚の細さを変える処理が施されないようにしてもよい。
【０２６７】
また、これらの処理は、利用者がロングスカートなどを着用している場合にも、適切に施されない。この場合、脚の長さや脚の細さを変える処理により、ロングスカートの柄や模様が長くなったり細くなってしまう。そこで、肌色領域を特定し、その領域のみに脚の長さや脚の細さを変える処理が施されるようにしてもよい。さらに、スカートの柄の有無などに応じて、長くする量や細くする量が変更されるようにしてもよい。
【０２６８】
さらに、これらの処理が、足先にまで施されることで、利用者が着用している靴やサンダルなどが変形してしまうおそれがある。そこで、足首からつま先までの領域をさらに特定し、その領域については、脚の長さや脚の細さを変える処理が施されないようにしたり、処理の度合いを弱めるようにしてもよい。
【０２６９】
（身長）
身長を変える処理は、頭から足先までの人物領域を特定し、その領域を上下方向に伸長または短縮することで実現される。人物領域は、クロマキー処理により人物マスク画像を生成することで特定されるようにすることもできる。身長を変える処理によれば、低身長の利用者の身長を高くすることはもちろん、高身長の利用者の身長を低くすることもできる。
【０２７０】
（二の腕）
上腕（いわゆる二の腕）を細くする処理は、肌色領域と顔領域の位置から上腕が含まれる領域を推定し、その境界部分を内側に向かう方向に移動することで実現される。この処理によれば、撮影画像における利用者の上腕を細くすることができる。
【０２７１】
（腰のくびれ）
腰のくびれを強調する処理は、撮影画像における顔を除いた人物領域の略全ての領域を、人物領域の内側（中心）に向かう方向に移動することで実現される。この処理によれば、撮影画像に写る利用者のスタイルのより良いものにすることができる。
【０２７２】
（首の長さ）
全身画像に対して、人物の顔を小さくする小顔処理が施された場合、相対的に首が長く見えてしまう。そこで、人物の全身に対する顔の大きさ（長さ）に応じて、首の長さを変更する処理を施すことができるようにする。
【０２７３】
（全身）
上述した「脚の長さ・脚の細さ」、「身長」、「二の腕」、「腰のくびれ」、「首の長さ」を変える処理それぞれが、互いに組み合わされて施されるようにしてもよい。例えば、レタッチ画面において、「モデル」ボタンが選択された場合には、脚を長くする処理、脚を細くする処理、身長を高くする処理の３処理が組み合わされて施されるようにする。また、レタッチ画面において、「ナチュラル」ボタンが選択された場合には、脚を細くする処理のみが施されるようにする。
【０２７４】
これにより、レタッチ画面において選択に要する時間を短縮させることができ、ゲームの回転率の向上を図ることができる。
【０２７５】
また、１つのレタッチ画面において、上述した複数の処理毎のボタンが表示されるようにしてもよい。この場合、決められた順番で処理を選択させるために、選択させる処理の度合いに対応するボタン以外は表示されないようにし、いずれかのボタンが選択される毎に順次、決められた順番に従って、処理の度合いに対応するボタンが表示されるようにしてもよい。
【０２７６】
（肌の明るさ）
肌の明るさを変える処理は、利用者毎に異なる度合いで施された場合、撮影画像全体が不自然な仕上がりになるおそれがあったため、従来、複数の利用者に一括して施されていた。しかしながら、近年、携帯端末において、撮影画像から１人の利用者の部分だけを切り出して利用することが行われていることから、肌の明るさを変える処理が、利用者毎に異なる度合いで施されるようにしてもよい。なお、この処理は、他の処理と組み合わせた場合、肌の明るさの違いが利用者に伝わりにくくなるおそれがあるので、レタッチ画面として、肌の明るさ選択画面が単独で表示されるようにしてもよい。
【０２７７】
（背面と床面との境界線）
撮影画像（全身画像）に写る利用者の背景領域に、背面（背面パネル５１）と床面との境界を模した境界線を含む背景画像を合成することができるようにしてもよい。この場合、さらに、その境界線の高さ（上下方向の位置）を変える処理が施されるようにしてもよい。
【０２７８】
例えば、図２５左側に示される全身画像Ｐ２１には、背面と床面との境界を模した境界線ｂ１１を含む背景画像が合成されているものとする。この全身画像Ｐ２１に、図２５右側に示されるように、境界線ｂ１１より高い位置にある境界線ｂ１２を含む背景画像が合成されることで、画像の奥行き感を強調することができる。この境界線が、全身画像において高い位置にあるほど、背面と床面との境界が遠くにあるように見え、画像の奥行き感を増すことができる。
【０２７９】
（合成用画像）
合成用画像のうち、利用者の全身に合成される合成用画像の位置や大きさを変える処理を、利用者毎に施すようにしてもよい。
【０２８０】
例えば、利用者の腰回りに合成される浮き輪を模した合成用画像が、利用者の身長に応じた位置に合成されるようにする。具体的には、図２６に示されるように、利用者の身長が低い場合、浮き輪を模した合成用画像ｆ１１は、低い位置に合成される。利用者の身長が中程度の場合、浮き輪を模した合成用画像ｆ１２は、中程度の位置に合成される。そして、利用者の身長が高い場合、浮き輪を模した合成用画像ｆ１３は、高い位置に合成される。
【０２８１】
また、利用者の腰回りに合成される浮き輪を模した合成用画像が、利用者の体型に応じたサイズで合成されるようにしてもよい。具体的には、図２７に示されるように、利用者の体型が小さい場合、浮き輪を模した合成用画像ｆ２１は、小さいサイズで合成される。利用者の体型が中程度の場合、浮き輪を模した合成用画像ｆ２２は、中程度のサイズで合成される。そして、利用者の体型が大きい場合、浮き輪を模した合成用画像ｆ２３は、大きいサイズで合成される。
【０２８２】
（写り方）
被写体となる利用者に照射される光の光量や向き、瞳に写り込むキャッチライトの大きさなど、撮影空間Ａ１内に設けられている照明装置（各ストロボ）により実現される光学環境に依存する写り方を、画像処理により変えるようにしてもよい。
【０２８３】
＜全身撮影の種類＞
以上においては、通常撮影として、正面から見た利用者の全身が写る画像を得るための正面全身撮影が行われるものとした。正面全身撮影によれば、図２８左側に示される全身画像Ｐ３１が得られる。全身画像Ｐ３１は、利用者の全身がバランスよく写り、落ち着いた印象の画像となる。
【０２８４】
もちろん、通常撮影として、斜め上から見た利用者の全身が写る画像を得るための上から全身撮影が行われるようにしてもよい。上から全身撮影によれば、図２８中央に示される全身画像Ｐ３２が得られる。全身画像Ｐ３２は、利用者の顔が強調された、ポップな印象の画像となる。
【０２８５】
さらに、通常撮影として、斜め下から見た利用者の全身が写る画像を得るための下から全身撮影が行われるようにしてもよい。下から全身撮影によれば、図示はしないが、得られる全身画像は、利用者の顔が小さく、かつ脚が長く写り、スタイリッシュな印象の画像となる。
【０２８６】
なお、全身撮影により、図２８右側に示されるような、利用者の全身のうちの膝辺りから上が写る全身画像Ｐ３３が得られるようにしてもよい。上述した正面全身撮影、上から全身撮影、および下から全身撮影それぞれは、カメラ９１の高さを変えることなく、カメラ９１のレンズとして広角レンズを用いた上で、そのレンズの光軸の角度を変えるようにし、得られる画像の切り出し範囲を調整することで実現される。
【０２８７】
＜レタッチ画面の表示タイミング＞
以上においては、レタッチ画面は、編集処理において表示されるものとしたが、レタッチ画面に認識用画像を表示するためには、認識撮影が終了していればよいので、撮影処理において表示されるようにしてもよい。また、レタッチ画面にモデル画像が表示される場合には、いずれの撮影が行われていなくてもよいので、撮影処理の前に表示されるようにしてもよい。この場合、撮影空間Ａ１の外側で事前の選択を行うための事前選択部において、事前選択処理が行われる中で、レタッチ画面が表示されるようにしてもよい。
【０２８８】
＜人数に応じたレタッチ画面の表示態様＞
また、以上においては、２人の利用者が同時に操作可能なレタッチ画面の例について説明してきたが、人数に応じた表示態様のレタッチ画面が表示されるようにしてもよい。
【０２８９】
例えば、利用者が３人の場合には、図２９に示されるようなレタッチ画面（脚の長さ選択画面）が表示されるようにする。なお、ここでは、利用者が３人であっても、認識撮影が行われるものとする。
【０２９０】
図２９の脚の長さ選択画面においては、図１７の脚の長さ選択画面にも設けられている画像表示領域５１１Ｌおよび選択領域５１２Ｌと、画像表示領域５１１Ｒおよび選択領域５１２Ｒとの間に、画像表示領域５１１Ｍおよび選択領域５１２Ｍが設けられている。
【０２９１】
画像表示領域５１１Ｍには、画像表示領域５１１Ｌ，５１１Ｒと同様、認識撮影により得られた認識用画像において認識部３１３による認識に成功した人物の全身画像が表示される。
【０２９２】
また、選択領域５１２Ｍには、選択領域５１２Ｌ，５１２Ｒそれぞれと同様、撮影画像（全身画像）に写る利用者の脚の長さを選択するためのボタン５２１−１乃至５２１−３と、ＯＫボタン５２２とが設けられる。
【０２９３】
図２９のような画面構成により、３人の利用者がそれぞれ脚の長さを同時に選択することができる。
【０２９４】
＜アップ撮影と全身撮影＞
以上においては、通常撮影として全身撮影（正面全身撮影）のみが行われるものとしたが、全身撮影に加え、アップ撮影が行われるようにしてもよい。この場合、全身画像に加えてアップ画像が得られるので、認識撮影として、全身画像用の認識撮影に加え、アップ画像用の認識撮影が行われるようにすることで、アップ画像および全身画像それぞれについてのレタッチ機能を提供することができるようになる。
【０２９５】
ここで、図３０のフローチャートを参照して、アップ撮影と全身撮影とが行われる場合の撮影処理の流れについて説明する。図３０の例では、図１２のフローチャートを参照して説明した人数選択画面および写りコース選択画面の表示のステップの説明は省略する。
【０２９６】
ステップＳ９１において、撮影制御部３１２は、アップ画像用の認識撮影を行う。
【０２９７】
具体的には、認識撮影のガイダンスが終了した後、撮影制御部３１２によって、カメラ９１による動画像の撮影が開始され、撮影によって得られた動画像がライブビュー表示画面に表示される。
【０２９８】
図３１は、アップ画像用の認識撮影のライブビュー表示画面の例を示す図である。
【０２９９】
ライブビュー表示画面の上部には、「枠の中に入って前を向いて撮影してね」のメッセージが表示され、その下に設けられた画像表示領域５９１，５９２には、２人の利用者それぞれの顔が映る動画像がリアルタイムで表示される。
【０３００】
カメラ９１に取り込まれた動画像から、所定の範囲が切り出されて、画像表示領域５９１，５９２の表示に用いられる。２人の利用者は、画像表示領域５９１，５９２の表示を確認しながら、それぞれの顔が画像表示領域５９１，５９２の枠に収まるように、顔の位置や大きさを調整する。これにより、認識用画像における認識の精度を確保することができる。
【０３０１】
このようなライブビュー画像が所定時間表示された後、撮影前のカウントダウンが開始され、撮影のタイミングになったとき、撮影制御部３１２は、認識用画像としての静止画像を取得する撮影を行う。
【０３０２】
この場合、認識部３１３は、撮影により得られた認識用画像において人物の顔を認識し、登録部３１４は、認識部３１３による認識に成功した人物の顔画像をデータベースに登録する。
【０３０３】
アップ画像用の認識撮影が終了した後、ステップＳ９２において、撮影制御部３１２は、所定回数のアップ撮影を行う。
【０３０４】
所定回数のアップ撮影が行われた後、ステップＳ９３において、撮影制御部３１２は、全身画像用の認識撮影を行う。全身画像用の認識撮影は、図１２のフローチャートにおけるステップＳ１２の処理と同様にして行われる。
【０３０５】
全身画像用の認識撮影が終了した後、ステップＳ９４において、撮影制御部３１２は、所定回数の全身撮影を行う。
【０３０６】
全ての撮影が行われた後、ステップＳ９５において、撮影処理部３０１は、撮影空間Ａ１にいる利用者に対して、編集空間Ａ２−１または編集空間Ａ２−２への移動を案内する。
【０３０７】
通常、アップ撮影が行われる場合と、全身撮影が行われる場合とでは、利用者は立ち位置を変える必要がある。
【０３０８】
そこで、上述した処理によれば、撮影範囲毎に認識撮影が行われるので、例えば、アップ画像用と全身画像用の２回の認識撮影の後に、アップ撮影と全身撮影とが行われる場合と比較して、立ち位置を変える回数を減らすことができ、移動による煩わしさを軽減することができる。
【０３０９】
また、全身を撮影範囲とした認識撮影を１回のみ行った後に、アップ撮影と全身撮影とが行われるようにしてもよい。この場合、全身が写る認識用画像において、人物の顔の認識と、人物の全身の認識とを行うことで、アップ画像および全身画像それぞれについてのレタッチ機能を提供することを可能とする。さらに、図３０の例と比較して、撮影回数を１回減らすことができるので、撮影作業に要する時間を短縮させることができ、ゲームの回転率の向上を図ることができる。
【０３１０】
＜レタッチ画面のさらなる例＞
ここで、アップ画像および全身画像それぞれについてのレタッチ機能を提供するレタッチ画面の例について説明する。
【０３１１】
図３２は、アップ画像および全身画像それぞれについてのレタッチ機能を提供するレタッチ画面の例を示す図である。
【０３１２】
図３２のレタッチ画面において、左右それぞれの領域の上側には、画像表示領域６１１Ｌ，６１２Ｌと、画像表示領域６１１Ｒ，６１２Ｒとが設けられる。画像表示領域６１１Ｌ，６１２Ｌには、認識撮影により得られた認識用画像において認識部３１３による認識に成功した一方の人物の全身画像および顔画像がそれぞれ表示される。また、画像表示領域６１１Ｒ，６１２Ｒには、認識撮影により得られた認識用画像において認識部３１３による認識に成功した他方の人物の全身画像および顔画像がそれぞれ表示される。これらの全身画像および顔画像は、それぞれ、全身画像用の認識撮影とアップ画像用の認識撮影により得られるようにしてもよいし、全身を撮影範囲とした認識撮影により得られた認識用画像から切り出す範囲を変えることで得られるようにしてもよい。
【０３１３】
画像表示領域６１１Ｌ，６１２Ｌの下方には、選択領域６１３Ｌが設けられる。選択領域６１３Ｌには、通常撮影により得られた撮影画像のうちの全身画像に写る利用者の脚の長さを選択するためのボタン６２１−１乃至６２１−３、アップ画像に写る利用者の目の大きさを選択するためのボタン６２２−１乃至６２２−３、アップ画像および全身画像に写る利用者の顔の小ささを選択するためのボタン６２３−１乃至６２３−３が設けられる。ボタン６２１−１乃至６２１−３，６２２−１乃至６２２−３，６２３−１乃至６２３−３それぞれには、撮影画像において、その画像処理が施される利用者の部分に対応する画像が表示される。
【０３１４】
ボタン６２３−１乃至６２３−３の下方には、ＯＫボタン６２４が設けられる。
【０３１５】
画像表示領域６１１Ｒ，６１２Ｒの下方には、選択領域６１３Ｒが設けられる。選択領域６１３Ｒにも、選択領域６１３Ｌと同様の構成が設けられる。
【０３１６】
ここで、ボタン６２１−１乃至６２１−３のいずれかが選択されると、表示制御部３２１は、画像表示領域６１１Ｌ（６１１Ｒ）に表示されている全身画像を、選択されたボタンに対応する脚の長さに変える画像処理が施された全身画像に切り替える。このとき、画像表示領域６１２Ｌ（６１２Ｒ）に表示される顔画像には、脚の長さを変える画像処理が反映されないので、その顔画像がグレーアウト表示されたり、表示されないようにしてもよい。
【０３１７】
また、ボタン６２２−１乃至６２２−３のいずれかが選択されると、表示制御部３２１は、画像表示領域６１２Ｌ（６１２Ｒ）に表示される顔画像を、選択されたボタンに対応する目の大きさに変える画像処理が施された顔画像に切り替える。このとき、画像表示領域６１１Ｌ（６１１Ｒ）に表示されている全身画像には、目の大きさを変える画像処理が反映されたとしても利用者が確認しにくいので、その全身画像がグレーアウト表示されたり、表示されないようにしてもよい。
【０３１８】
なお、ボタン６２３−１乃至６２３−３のいずれかが選択されたときには、表示制御部３２１は、画像表示領域６１１Ｌ（６１１Ｒ）に表示されている全身画像と、画像表示領域６１２Ｌ（６１２Ｒ）に表示される顔画像とを、選択されたボタンに対応する顔の小ささに変える画像処理が施された全身画像と顔画像とに切り替える。
【０３１９】
このようなレタッチ画面により、アップ画像および全身画像それぞれについてのレタッチ機能を提供することができる。
【０３２０】
図３２の例では、１つのレタッチ画面上で、アップ画像および全身画像それぞれについてのレタッチ機能が提供されるものとしたが、撮影画像の種類（アップ画像／全身画像）毎に、その撮影画像についてのレタッチ機能を提供するレタッチ画面が表示されるようにしてもよい。
【０３２１】
例えば、通常撮影として、アップ撮影、正面全身撮影、および上から全身撮影が行われた場合、アップ画像、正面全身撮影により得られた全身画像（正面全身画像）、上から全身撮影により得られた全身画像（上から全身画像）の３種類の撮影画像が得られる。この場合、３種類の撮影画像毎にレタッチ画面が表示されるようにする。
【０３２２】
ここで、アップ撮影、正面全身撮影、上から全身撮影の順番で撮影が行われたものとすると、アップ画像、正面全身画像、上から全身画像それぞれについてのレタッチ機能を提供するレタッチ画面が、その順番で表示される。
【０３２３】
図３３および図３４は、アップ画像および正面全身画像それぞれについてのレタッチ機能を提供するレタッチ画面の例を示す図である。
【０３２４】
図３３のレタッチ画面において、左右それぞれの領域の上側には、画像表示領域６３１Ｌ，６３１Ｒが設けられる。画像表示領域６３１Ｌ，６３１Ｒには、認識撮影により得られた認識用画像において認識部３１３による認識に成功した人物の顔画像がそれぞれ表示される。
【０３２５】
画像表示領域６３１Ｌ，６３１Ｒそれぞれの下方には、選択領域６３２Ｌ，６３２Ｒが設けられる。選択領域６３２Ｌ，６３２Ｒそれぞれには、アップ撮影により得られたアップ画像に写る利用者の目の大きさを選択するためのボタン６４１−１乃至６４１−３、肌の明るさを選択するためのボタン６４２−１乃至６４２−３、顔の小ささを選択するためのボタン６４３−１乃至６４３−３が設けられる。ボタン６４１−１乃至６４１−３，６４２−１乃至６４２−３，６４３−１乃至６４３−３それぞれには、アップ画像において、その画像処理が施される利用者の部分に対応する画像が表示される。
【０３２６】
ボタン６４３−１乃至６４３−３の下方には、ＯＫボタン６４４が設けられる。
【０３２７】
図３３のレタッチ画面により、アップ画像についてのレタッチ機能を提供することができる。
【０３２８】
図３４のレタッチ画面において、左右それぞれの領域の上側には、画像表示領域６５１Ｌ，６５１Ｒが設けられる。画像表示領域６５１Ｌ，６５１Ｒには、認識撮影により得られた認識用画像において認識部３１３による認識に成功した人物の全身画像がそれぞれ表示される。
【０３２９】
画像表示領域６５１Ｌ，６５１Ｒそれぞれの下方には、選択領域６５２Ｌ，６５２Ｒが設けられる。選択領域６５２Ｌ，６５２Ｒそれぞれには、正面全身撮影により得られた正面全身画像に写る利用者の脚の長さを選択するためのボタン６６１−１乃至６６１−３、脚の細さを選択するためのボタン６６２−１乃至６６２−３、身長を選択するためのボタン６６３−１乃至６６３−３が設けられる。ボタン６６１−１乃至６６１−３，６６２−１乃至６６２−３，６６３−１乃至６６３−３それぞれには、正面全身画像において、その画像処理が施される利用者の部分に対応する画像が表示される。
【０３３０】
ボタン６６３−１乃至６６３−３の下方には、ＯＫボタン６６４および戻るボタン６６５が設けられる。
【０３３１】
戻るボタン６６５は、１つ前に表示されていたレタッチ画面（すなわち、図３３のレタッチ画面）に戻るためのボタンである。これにより、あらかじめ決められたレタッチ画面全体の表示時間内であれば、アップ画像についての画像処理を選択し直すことが可能となる。
【０３３２】
図３４のレタッチ画面により、正面全身画像についてのレタッチ機能を提供することができる。
【０３３３】
なお、上から全身画像についてのレタッチ機能を提供するレタッチ画面は、図３４のレタッチ画面と同様であるものとするが、認識撮影として、上から全身画像用の認識撮影が行われるようにした場合には、図３５に示されるように、画像表示領域６５１Ｌ，６５１Ｒには、上から全身画像用の認識撮影により得られた認識用画像において認識部３１３による認識に成功した人物の上から全身画像がそれぞれ表示される。
【０３３４】
以上のように、撮影画像の種類毎にレタッチ画面が表示されることで、その撮影画像の撮影範囲に応じた画像処理を選択させることができるので、例えば、認識用画像として全身画像だけが表示されるレタッチ画面において、アップ画像についての画像処理を選択させる場合と比較して、利用者に対して画像処理の内容が伝わりやすくなり、利用者が画像処理の内容を把握しやすくなる。
【０３３５】
なお、図３３および図３４（図３５）のレタッチ画面において、アップ画像についての画像処理を選択させるレタッチ画面と、全身画像についての画像処理を選択させるレタッチ画面との表示を切り替える切替ボタンが設けられるようにしてもよいし、これらのレタッチ画面が、所定時間毎に表示が切り替わるようにしてもよい。
【０３３６】
さらに、レタッチ画面においては、左右いずれの領域が、対応する利用者に対する画像処理を選択するための領域であるかがわかればよい。そこで、例えば、全身画像についての画像処理を選択させるレタッチ画面（図３４または図３５）において、利用者それぞれの全身画像が表示される画像表示領域６５１Ｌ，６５１Ｒに代えて、図３６に示されるように、利用者それぞれの顔画像が表示される画像表示領域６５３Ｌ，６５３Ｒが設けられるようにしてもよい。これにより、利用者は、少なくとも、レタッチ画面の左右いずれに対して操作を行えばよいかを把握することができる。
【０３３７】
また、レタッチ画面として、全身画像についての画像処理を選択させるレタッチ画面のみを表示するようにし、全身画像について選択された画像処理が、アップ画像にも反映されるようにしてもよい。
【０３３８】
逆に、レタッチ画面として、アップ画像についての画像処理を選択させるレタッチ画面のみを表示するようにし、アップ画像について選択された画像処理が、全身画像にも反映されるようにしてもよい。例えば、アップ画像についての画像処理を選択させるレタッチ画面において、肌の明るさとして「美白」が選択された場合、肌の明るさを「美白」にする画像処理が、アップ画像における顔の部分に施される他、全身画像における腕や脚の部分に施されるようにする。
【０３３９】
以上においては、レタッチ画面に表示される撮影画像として、認識用画像から所定の領域が切り出された画像が表示されるものとしたが、通常撮影により得られた撮影画像のうちの１枚が表示されるようにしてもよい。
【０３４０】
例えば、図３７に示されるように、画像表示領域６７１Ｌ，６７１Ｒに、５枚の撮影画像のうちの所定の１枚が表示されるようにする。画像表示領域６７１Ｌ，６７１Ｒの左右両側には、切替ボタン６８１，６８２を設けるようにし、切替ボタン６８１，６８２がタッチペン１３２Ａ，１３２Ｂにより操作されることで、画像表示領域６７１Ｌ，６７１Ｒに表示される撮影画像が切り替わるようにしてもよい。
【０３４１】
さらに、以上においては、レタッチ機能を提供する画面としてレタッチ画面が表示されるものとしたが、編集画面が、レタッチ画面の１つとして機能するようにしてもよい。
【０３４２】
編集画面は、基本的に、レタッチ画面と同様、主な構成が左右対称に設けられることによって構成される。左半分の領域は、タブレット内蔵モニタ１３１に向かって左側にいる利用者により用いられる領域である。右半分の領域は、タブレット内蔵モニタ１３１に向かって右側にいる利用者により用いられる領域である。このような編集画面の構成により、主に２人の利用者が同時に編集作業を行うことができる。
【０３４３】
図３８においては、編集画面の左半分の領域（左半分領域）が示されている。
【０３４４】
左半分領域の中央上部には、サムネイル表示領域７１１が設けられる。サムネイル表示領域７１１は、撮影画像を表すサムネイル画像の表示領域である。利用者は、サムネイル表示領域７１１に表示されているサムネイル画像を選択することによって、編集対象とする撮影画像を選択する。
【０３４５】
図３８の例では、５枚の撮影画像として、３枚のアップ画像と２枚の全身画像を表すサムネイル画像がサムネイル表示領域７１１に並んで表示されている。
【０３４６】
左半分領域の略中央には、編集領域７１２が設けられる。編集領域７１２は、編集対象として選択された撮影画像の表示領域である。利用者は、タッチペン１３２Ａを用いて編集ツールを選択し、編集領域７１２に表示された撮影画像の編集を行う。
【０３４７】
編集領域７１２の左側には、メイクパレット７１３が表示される。メイクパレット７１３は、メイクツールを選択するためのアイコンの表示領域である。メイクツールが選択されることで、撮影画像に写る利用者の顔に対して、選択されたメイクツールに対応する画像処理が施される。
【０３４８】
左半分領域の下部には、編集パレット７１４が表示される。編集パレット７１４は、ペンツール、スタンプツールなどの各種の編集ツール（合成用画像）の選択に用いられる。
【０３４９】
編集パレット７１４においては、タブ毎に各編集ツールが用意されている。利用者は、それぞれのタブを選択することによって、編集パレット７１４に表示される編集ツールを切り替える。例えば、「スタンプ」の名前が付されたタブは、スタンプツールを選択するときに操作されるタブであり、「ペン」の名前が付されたタブは、ペンツールを選択するときに操作されるタブである。
【０３５０】
図３８の例では、「レタッチ」の名前が付されたタブが選択されている。
【０３５１】
「レタッチ」の名前が付されたタブが選択された編集パレット７１４においては、全身画像に写る利用者毎に、全身画像に対する画像処理の度合いとして、脚の長さが選択されるようにする。
【０３５２】
図３８の編集パレット７１４において、左半分の領域の左端、右半分の領域の右端のそれぞれには、画像表示領域７２１Ｌ，７２１Ｒが設けられる。画像表示領域７２１Ｌ，７２１Ｒには、認識撮影により得られた認識用画像において認識部３１３により認識された人物の全身画像が、それぞれ表示される。
【０３５３】
画像表示領域７２１Ｌの右方、画像表示領域７２１Ｒの左方のそれぞれには、選択領域７２２Ｌ，７２２Ｒが設けられる。選択領域７２２Ｌ，７２２Ｒそれぞれには、編集領域７１２に表示されている全身画像に写る利用者の脚の長さを選択するためのボタン７２３−１乃至７２３−３が設けられる。
【０３５４】
ボタン７２３−１乃至７２３−３のいずれかが選択されると、表示制御部３２１は、画像表示領域７２１Ｌ，７２１Ｒに表示されている全身画像を、選択されたボタンに対応する脚の長さに変える画像処理が施された全身画像に切り替える。このとき、編集領域７１２に表示されている全身画像に写る利用者のうち、ボタンが選択された選択領域に対応する利用者に対しても、選択されたボタンに対応する脚の長さに変える画像処理が施される。
【０３５５】
なお、「レタッチ」の名前が付されたタブによって提供されるレタッチ機能は、編集領域７１２に表示されている撮影画像（編集対象となる撮影画像）に応じて変わる。例えば、編集対象となる撮影画像として、アップ画像が選択されている場合、「レタッチ」の名前が付されたタブは、例えば、目の大きさや肌の明るさなどを変えるレタッチ機能を提供するようになり、全身画像が選択されている場合、「レタッチ」の名前が付されたタブは、例えば、脚の長さや脚の細さなどを変えるレタッチ機能を提供するようになる。
【０３５６】
また、編集画面において、レタッチ機能を提供するための構成を、編集パレット７１４以外の領域に設けるようにしてもよい。
【０３５７】
例えば、編集画面のメイクパレット７１３に代えて、図３９に示されるような選択領域７３１を設けるようにしてもよい。選択領域７３１は、編集パレット７１４に表示されるレタッチ機能を提供するための構成と異なり、編集画面上で常に表示される。
【０３５８】
選択領域７３１には、編集領域７１２に表示されている全身画像に写る利用者の脚の長さを選択するためのボタン７４１−１乃至７４１−３が設けられる。また、ボタン７４１−３の下方には、画像処理の対象とする利用者を選択するためのボタン７４２−１乃至７４２−３が設けられる。
【０３５９】
ボタン７４２−１は、編集領域７１２に表示されている全身画像に写る利用者の２人両方を画像処理の対象とするときに選択されるボタンである。ボタン７４２−２は、編集領域７１２に表示されている全身画像に写る利用者のうちの左側の利用者を画像処理の対象とするときに選択されるボタンであり、ボタン７４２−３は、編集領域７１２に表示されている全身画像に写る利用者のうちの右側の利用者を画像処理の対象とするときに選択されるボタンである。
【０３６０】
このような構成により、全身画像それぞれについて、利用者毎に、所望の脚の長さを選択することができる。
【０３６１】
なお、以上においては、選択された度合いの画像処理は、編集領域７１２に表示されている撮影画像のみに施されるものとしたが、それ以外の、編集対象でない撮影画像に施されるようにしてもよい。また、選択された度合いの画像処理が、編集領域７１２に表示されている撮影画像毎に施されるようにした場合であっても、一度も編集対象として選択されていない撮影画像については、直近で選択された度合いの画像処理が施されるようにしてもよい。
【０３６２】
図３９の例では、編集対象として全身画像が選択され、選択領域７３１には、全身画像についてのレタッチ機能を提供する構成が表示されるものとしたが、編集対象としてアップ画像が選択された場合には、図４０に示されるように、選択領域７５１に、アップ画像についてのレタッチ機能を提供する構成が表示されるものとする。
【０３６３】
図４０の選択領域７５１には、編集領域７１２に表示されているアップ画像に写る利用者の目の大きさを選択するためのボタン７６１−１乃至７６１−３が設けられる。また、ボタン７６１−３の右方には、画像処理の対象とする利用者を選択するためのボタン７６２−１乃至７６２−３が設けられる。
【０３６４】
ボタン７６２−１は、編集領域７１２に表示されているアップ画像に写る利用者の２人両方を画像処理の対象とするときに選択されるボタンである。ボタン７６２−２は、編集領域７１２に表示されているアップ画像に写る利用者のうちの左側の利用者を画像処理の対象とするときに選択されるボタンであり、ボタン７６２−３は、編集領域７１２に表示されているアップ画像に写る利用者のうちの右側の利用者を画像処理の対象とするときに選択されるボタンである。
【０３６５】
このような構成により、アップ画像それぞれについて、利用者毎に、所望の目の大きさを選択することができる。
【０３６６】
なお、図３９の選択領域７３１と、図４０の選択領域７５１とは、編集画面において異なる位置に配置されている。具体的には、図３９の例では、選択領域７３１は、編集領域７１２の横（左方）に配置され、図４０の例では、選択領域７５１は、編集領域７１２の下方に配置されている。これにより、編集対象として選択されている撮影画像の種類（アップ画像／全身画像）が変わった場合、利用者にそのことを気づかせることができる。
【０３６７】
以上においては、レタッチ機能を提供する構成が、編集パレットにおいてタブ表示されたり、編集画面上の所定の位置に常に表示される例について説明したが、サムネイル表示領域７１１に表示されているサムネイル画像が選択される度に、そのサムネイル画像に対応する撮影画像についてのレタッチ機能を提供する構成が、ポップアップとして表示されるようにしてもよい。これにより、編集画面のレイアウトによらず、レタッチ機能を提供する構成を大きく表示することができ、利用者の操作性を向上させることができる。
【０３６８】
また、以上においては、レタッチ機能により画像処理が施される領域（利用者の部分）は、あらかじめ決まっており、その領域に施される画像処理に対応するボタンが選択領域に表示されるものとした。これに限らず、編集画面において、レタッチ機能を提供する構成が表示される場合には、編集領域７１２において、レタッチ機能により画像処理が施される領域がタッチペン１３２Ａ（１３２Ｂ）によって指定されるようにしてもよい。
【０３６９】
この場合、選択領域には、指定された領域に施される画像処理に対応するボタンが表示されるようにする。例えば、編集領域７１２において、編集対象となる撮影画像に写る利用者の脚の部分が、タッチペン１３２Ａ（１３２Ｂ）により囲まれるなどした場合、選択領域には、脚の長さを変えるためのボタンが表示されるようにする。これにより、利用者は、撮影画像に写る自分自身について、より良いスタイルにしたい部分を選択することができる。
【０３７０】
さらに、図４１に示されるように、レタッチ機能を提供する構成が、認識撮影時のライブビュー表示画面に表示されるようにしてもよい。
【０３７１】
図４１のライブビュー表示画面において、左右それぞれの領域の上側には、画像表示領域８１１Ｌ，８１１Ｒが設けられる。画像表示領域８１１Ｌ，８１１Ｒには、２人の利用者それぞれの全身が映る動画像がリアルタイムで表示される。
【０３７２】
２人の利用者は、画像表示領域８１１Ｌ，８１１Ｒの表示を確認しながら、それぞれの全身が画像表示領域８１１Ｌ，８１１Ｒの枠に収まるように、立ち位置を調整する。
【０３７３】
画像表示領域８１１Ｌ，８１１Ｒそれぞれの下方には、選択領域８１２Ｌ，８１２Ｒが設けられる。選択領域８１２Ｌ，８１２Ｒには、認識撮影の後に行われる通常撮影により得られる撮影画像（全身画像）に写る利用者の脚の長さを選択するためのボタン８２１−１乃至８２１−３が設けられる。
【０３７４】
ボタン８２１−１乃至８２１−３の下方には、ＯＫボタン８２２が設けられる。
【０３７５】
選択領域８１２Ｌ，８１２Ｒにおいて選択されたボタンに対応する画像処理は、画像表示領域８１１Ｌ，８１１Ｒに表示されるライブビュー画像にリアルタイムに反映される。
【０３７６】
図４１の例では、１回の認識撮影に割り当てられる時間を、１回の通常撮影に割り当てられる時間より長く設定されるようにする。これにより、利用者に、レタッチ機能を提供するための画像処理を、余裕をもって選択させることができる。
【０３７７】
また、図４１の例では、認識撮影のライブビュー表示画面において、ライブビュー画像と、レタッチ機能を提供する構成とが同時に表示されるものとした。しかしながら、通常、写真シール機において、撮影空間に設けられるタッチパネルモニタは、編集空間に設けられるタブレット内蔵モニタよりも小さいため、図４１の例では、ライブビュー画像が小さくなってしまう。そこで、認識撮影のライブビュー表示画面においては、レタッチ機能を提供する構成が表示された後に画面が切り替わり、ライブビュー画像が大きく表示されるようにしてもよい。
【０３７８】
なお、図４１の例のように、認識撮影のライブビュー表示画面において、レタッチ機能を提供する構成が表示されるのではなく、通常撮影のライブビュー表示画面において、レタッチ機能を提供する構成が、通常撮影が行われる度に表示されるようにしてもよい。この場合、認識撮影は行われないものとする。
【０３７９】
＜出力物の例＞
本実施の形態においては、写真シール作成ゲームの結果である出力物として、撮影画像が印刷されたシール紙が出力される他、所定のサーバを介して携帯端末へ送信される撮影画像（携帯送信画像）のデータが出力される。
【０３８０】
（シール紙）
図４２は、本実施の形態において出力されるシール紙の例を示す図である。
【０３８１】
図４２に示されるシール紙は、横長の矩形形状にカットされており、５回の通常撮影により得られた５枚の撮影画像（以下、印刷画像ともいう）が、横一列に配置されて印刷されている。
【０３８２】
図４２に示されるシール紙８５０には、印刷画像として、１枚の正面全身画像８５１、３枚のアップ画像８５２乃至８５４、および、１枚の上から全身画像８５５が配置されている。
【０３８３】
印刷画像８５１，８５２の下方の領域には、アクセス用のメールアドレスおよびシール紙のIDを含む文字情報が配置されている。
【０３８４】
さらに、印刷画像８５４，８５５の下方の領域には、レタッチ画面において選択されたレタッチ機能の内容（画像処理の度合い）を示す文字情報８６１が配置されている。図４２の例では、文字情報８６１は、２人の利用者のうちの１人である「きょうこ」について、脚の長さ「おすすめ」、脚の細さ「モデル」が選択され、利用者のもう１人である「あき」について、脚の長さ「ナチュラル」、脚の細さ「おすすめ」が選択されたことを示している。
【０３８５】
利用者は、このような文字情報を、次回、写真シール作成ゲームをプレイする際にレタッチ機能の内容を選択するときの参考とすることができる。
【０３８６】
なお、シールレイアウトとして、利用者毎にシール紙がカットされて出力されるシールレイアウトが選択されている場合には、利用者毎に出力されるシール紙のそれぞれに、その利用者が選択したレタッチ機能の内容を示す文字情報が配置されるようにしてもよい。
【０３８７】
（携帯送信画像）
携帯送信画像として携帯端末で閲覧可能な撮影画像について、写真シール作成装置１で選択された内容のレタッチ機能が、再度選択できるようにしてもよい。レタッチ機能の内容の再選択は、携帯送信画像が取得可能なWebページ上や、携帯端末にダウンロードされた専用のアプリケーション（専用アプリ）上などで行われるものとする。
【０３８８】
携帯端末でのレタッチ機能は、写真シール作成ゲームの回転数を考慮する必要がないため、写真シール作成装置１で選択できるレタッチ機能の内容より細かい内容が選択できるようにしてもよい。さらに、写真シール作成装置１では提供されなかった内容のレタッチ機能が、上述したWebページ上や専用アプリ上で提供されるようにしてもよい。例えば、写真シール作成装置１で提供された、脚の長さを変える処理、および、脚の細さを変える処理に加え、肌の明るさを変える処理、および、首の長さを変える処理が、レタッチ機能を提供する画像処理として行われるようにする。
【０３８９】
また、レタッチ機能とは別に、携帯端末上で、撮影画像の色情報を変更したり、撮影画像に所定の質感や色のレイヤ画像を重畳したりする加工の種類が選択できる場合、選択された加工の種類に対応するレタッチ機能を提供する画像処理が、撮影画像に施されるようにしてもよい。
【０３９０】
上述した実施の形態では、写真シール作成装置１は、得られた撮影画像や編集画像をシール紙に印刷するとともに、サーバに送信することで利用者の携帯端末に提供する構成を採るものとした。これに限らず、撮影画像や編集画像をシール紙に印刷せずに、サーバに送信することで利用者の携帯端末に提供するのみの構成を採ることも可能である。また逆に、撮影画像や編集画像をサーバに送信せずに、シール紙に印刷するのみの構成を採ることも可能である。
【０３９１】
すなわち、本技術は、撮影画像や編集画像がシール紙に印刷された写真シールを作成する写真シール作成装置に限らず、単に、撮影画像や編集画像を作成するゲームを提供する写真作成ゲーム機に適用することができる。
【０３９２】
上述した一連の処理は、ハードウェアにより実行させることもできるし、ソフトウェアにより実行させることもできる。上述した一連の処理をソフトウェアにより実行させる場合には、そのソフトウェアを構成するプログラムが、ネットワークや記録媒体からインストールされる。
【０３９３】
この記録媒体は、例えば、図７に示されるように、装置本体とは別に、写真シール作成装置１の管理者にプログラムを配信するために配布される、そのプログラムが記録されている磁気ディスク（フレキシブルディスクを含む）、光ディスク（CD-ROMおよびDVDを含む）、光磁気ディスク、もしくは半導体メモリなどよりなるリムーバブルメディア２０５により構成される。また、これらだけでなく、記録媒体は、装置本体にあらかじめ組み込まれた状態で管理者に配信されるプログラムが記録されているROM２０６や、記憶部２０２に含まれるハードディスクなどで構成される。
【０３９４】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０３９５】
以上において、印刷媒体は、シール紙や写真紙に限られるものではない。例えば、所定のサイズの紙やフィルム、プリペイドカードやIC（Integrated Circuit）カードなどのカード、あるいは、Ｔシャツなどの布地などに、画像を印刷するようにしてもよい。この場合、１または複数の撮影画像が配置されたシールレイアウト画像が、これらの印刷媒体に印刷されるようにしてもよい。
【０３９６】
また、本技術の実施の形態は、上述した実施の形態に限定されるものではなく、本技術の要旨を逸脱しない範囲において種々の変更が可能である。
【符号の説明】
【０３９７】
１  写真シール作成装置
２０１  制御部
３０１  撮影処理部
３０２  編集処理部
３０３  印刷処理部
３０４  事後選択処理部
３１１  表示制御部
３１２  撮影制御部
３１３  認識部
３１４  登録部
３２１  表示制御部
３２２  編集制御部
３２３  認証部
３２４  画像処理部
３２５  通信制御部
【図１】
2018064220.tif 000003
【図２】
2018064220.tif 000004
【図３】
2018064220.tif 000005
【図４】
2018064220.tif 000006
【図５】
2018064220.tif 000007
【図６】
2018064220.tif 000008
【図７】
2018064220.tif 000009
【図８】
2018064220.tif 000010
【図９】
2018064220.tif 000011
【図１０】
2018064220.tif 000012
【図１１】
2018064220.tif 000013
【図１２】
2018064220.tif 000014
【図１３】
2018064220.tif 000015
【図１４】
2018064220.tif 000016
【図１５】
2018064220.tif 000017
【図１６】
2018064220.tif 000018
【図１７】
2018064220.tif 000019
【図１８】
2018064220.tif 000020
【図１９】
2018064220.tif 000021
【図２０】
2018064220.tif 000022
【図２１】
2018064220.tif 000023
【図２２】
2018064220.tif 000024
【図２３】
2018064220.tif 000025
【図２４】
2018064220.tif 000026
【図２５】
2018064220.tif 000027
【図２６】
2018064220.tif 000028
【図２７】
2018064220.tif 000029
【図２８】
2018064220.tif 000030
【図２９】
2018064220.tif 000031
【図３０】
2018064220.tif 000032
【図３１】
2018064220.tif 000033
【図３２】
2018064220.tif 000034
【図３３】
2018064220.tif 000035
【図３４】
2018064220.tif 000036
【図３５】
2018064220.tif 000037
【図３６】
2018064220.tif 000038
【図３７】
2018064220.tif 000039
【図３８】
2018064220.tif 000040
【図３９】
2018064220.tif 000041
【図４０】
2018064220.tif 000042
【図４１】
2018064220.tif 000043
【図４２】
2018064220.tif 000044